(57)【特許請求の範囲】
【請求項１】
エンハンスト物理ダウンリンク制御チャネル（ｅ−ＰＤＣＣＨ）のサーチスペースの再構成試行に関するフィードバックと、少なくとも１つのダウンリンク送信に関するフィードバックとを送信装置（ｅＮＢ）に同時に提供する受信装置（ＵＥ）であって、前記受信装置（ＵＥ）が、一次セルを含む少なくとも１つのサービングセルによって構成されており、
前記送信装置から少なくとも１つのサービングセルを介して前記少なくとも１つのダウンリンク送信を受信するようにされており、かつ、少なくとも１つのサービングセルのサーチスペースの再構成のための再構成情報を前記送信装置から受信するようにされている受信器と、
前記少なくとも１つのダウンリンク送信について、前記それぞれのダウンリンク送信を正常に復号化できたかを判定するようにされており、かつ、前記受信された再構成情報を正常に復号化できたかを判定するようにされているプロセッサであって、
前記少なくとも１つのダウンリンク送信の復号化の成功／失敗に基づいて判定されたＡＣＫ／ＮＡＣＫ／ＤＴＸと、前記再構成情報の復号化の成功／失敗に基づいて判定されたＡＣＫ／ＤＴＸとを含むフィードバックタプル、を生成するようにされている、前記プロセッサと、
前記フィードバックタプルを、
−  一次セルを介して前記フィードバックタプルを送信するのに利用可能な複数のアップリンクリソースのうちの選択される１つ、および、
−  前記選択されたアップリンクリソースで送信される変調方式の複数の変調シンボルのうちの選択される１つ、
の組合せとして送信するようにされている送信器と、
を備えている、受信装置。
【請求項２】
前記フィードバックタプルが、前記選択されたアップリンクリソースを介して、ＰＵＣＣＨフォーマット１ｂまたはＰＵＣＣＨフォーマット３において、選択される変調シンボルを使用して送信され、
および／または、前記複数の利用可能なアップリンクＰＵＣＣＨリソースの数が、受信されるダウンリンクＰＤＳＣＨ送信に対応する前記一次セルにおけるアップリンクＰＵＣＣＨリソースの数
【数１】
0005814471.tif 000008
よりも大きい、
請求項１に記載の受信装置。
【請求項３】
受信されるダウンリンクＰＤＳＣＨ送信に対応するアップリンクＰＵＣＣＨリソースの数が１つ（Ａ＝｛１｝）である場合、前記一次セルを介しての少なくとも１つのダウンリンク送信の受信が、第１のアップリンクＰＵＣＣＨリソースが対応する少なくとも１つのトランスポートブロックの受信を含んでいる、
および／または、前記選択されるアップリンクＰＵＣＣＨリソースが、
−  前記一次セルを介しての少なくとも１つのトランスポートブロックの受信に対応する第１のＰＵＣＣＨリソース（ＰＵＣＣＨリソース０として定義される）、
−  前記一次セルを介して受信されるＥ−ＰＤＣＣＨ再構成情報のためのＰＤＣＣＨに対応する第２のＰＵＣＣＨリソース（ＰＵＣＣＨリソース１として定義される）であって、Ｅ−ＰＤＣＣＨ再構成情報のためのＰＤＣＣＨの第１の制御チャネル要素（ＣＣＥ）から導かれる、前記第２のＰＵＣＣＨリソース、
のうちの少なくとも１つである、
請求項１または請求項２に記載の受信装置。
【請求項４】
前記一次サービングセルを介しての１つのダウンリンク送信の受信が、第１のトランスポートブロックの受信を含んでいる場合、前記フィードバックタプルの第１の位置（ＨＡＲＱ−ＡＣＫ（０）として定義される）が、前記一次セルを介して受信された前記第１のトランスポートブロックの復号化の成功／失敗を示し、前記フィードバックタプルの第２の位置（ＨＡＲＱ−ＡＣＫ（１）として定義される）が、前記一次セルを介して受信された前記再構成情報の復号化の成功／失敗を示す、または、
前記一次サービングセルを介しての１つのダウンリンク送信の受信が、第１のトランスポートブロックおよび第２のトランスポートブロックの受信を含んでいる場合、前記フィードバックタプルの第１の位置（ＨＡＲＱ−ＡＣＫ（０）として定義される）が、前記一次セルを介して受信された前記第１のトランスポートブロックの復号化の成功／失敗を示し、前記フィードバックタプルの第２の位置（ＨＡＲＱ−ＡＣＫ（１）として定義される）が、前記一次セルを介して受信された前記第２のトランスポートブロックの復号化の成功／失敗を示し、前記フィードバックタプルの第３の位置（ＨＡＲＱ−ＡＣＫ（２）として定義される）が、前記一次セルを介して受信された前記再構成情報の復号化の成功／失敗を示す、
請求項３に記載の受信装置。
【請求項５】
ＡＣＫ／ＮＡＣＫ／ＤＴＸの生成されるフィードバックタプル（HARQ-ACK(0)、HARQ-ACK(1)、またはHARQ-ACK(0)、HARQ-ACK(1)、HARQ-ACK(2)によって定義される）において、複数のアップリンクＰＵＣＣＨリソースのうちの１つの選択と、複数の変調シンボル（(0,0)または(0,1)または(1,0)または(1,1)によって定義される）のうちの１つの選択が、
−  前記受信された再構成情報の復号化が成功した場合、ＡＣＫ／ＮＡＣＫ／ＤＴＸの前記生成されたフィードバックタプルの送信が前記第１のＰＵＣＣＨリソースで行われ、前記再構成情報の復号化が失敗した場合、ＡＣＫ／ＮＡＣＫ／ＤＴＸの前記生成されたフィードバックタプルの送信が前記第２のＰＵＣＣＨリソースで行われる、
ように、フィードバックマッピング規則に基づく、
請求項３または請求項４に記載の受信装置。
【請求項６】
受信されるダウンリンクＰＤＳＣＨ送信に対応するアップリンクＰＵＣＣＨリソースの数が２つ（Ａ＝｛２｝）である場合、第１のサービングセルを介しての少なくとも１つのダウンリンク送信の受信が、第１のトランスポートブロックの受信を含んでおり、第２のサービングセルを介しての少なくとも１つのダウンリンク送信の受信が、第２のトランスポートブロックの受信を含んでいる、
および／または、前記選択されるアップリンクＰＵＣＣＨリソースが、
−  前記第１のサービングセルを介しての前記第１のトランスポートブロックの受信に対応する第１のＰＵＣＣＨリソース（ＰＵＣＣＨリソース０として定義される）、
−  前記第１のサービングセルを介して受信されるＥ−ＰＤＣＣＨ再構成情報のためのＰＤＣＣＨに対応する第２のＰＵＣＣＨリソース（ＰＵＣＣＨリソース１として定義される）であって、Ｅ−ＰＤＣＣＨ再構成情報のためのＰＤＣＣＨの第１の制御チャネル要素（ＣＣＥ）から導かれる、前記第２のＰＵＣＣＨリソース、
−  前記第２のサービングセルを介しての前記第２のトランスポートブロックの受信に対応する第３のＰＵＣＣＨリソース（ＰＵＣＣＨリソース２として定義される）、
−  前記第２のサービングセルを介して受信されるＥ−ＰＤＣＣＨ再構成情報のためのＰＤＣＣＨに対応する第４のＰＵＣＣＨリソース（ＰＵＣＣＨリソース３として定義される）であって、上位層によって設定されるＰＵＣＣＨリソースからのＥ−ＰＤＣＣＨのためのＰＤＣＣＨの送信電力制御（ＴＰＣ）フィールドによって選択される、前記第４のＰＵＣＣＨリソース、
のうちの少なくとも１つである、
請求項１または請求項２に記載の受信装置。
【請求項７】
前記生成されるフィードバックタプルの第１の位置（HARQ-ACK(0)として定義される）が、前記第１のサービングセルを介して受信される前記第１のトランスポートブロックの復号化の成功／失敗を示し、前記フィードバックタプルの第２の位置（HARQ-ACK(1)として定義される）が、前記第１のサービングセルを介して受信される前記再構成情報の復号化の成功／失敗を示し、前記フィードバックタプルの第３の位置（HARQ-ACK(2)として定義される）が、前記第２のサービングセルを介して受信される前記第２のトランスポートブロックの復号化の成功／失敗を示し、前記フィードバックタプルの第４の位置（HARQ-ACK(3)として定義される）が、前記第２のサービングセルを介して受信される前記再構成情報の復号化の成功／失敗を示す、
請求項６に記載の受信装置。
【請求項８】
ＡＣＫ／ＮＡＣＫ／ＤＴＸの生成されるフィードバックタプル（HARQ-ACK(0)、HARQ-ACK(1)、HARQ-ACK(2)、HARQ-ACK(3)によって定義される）において、複数のアップリンクＰＵＣＣＨリソースのうちの１つの選択と、複数の変調シンボル（(0,0)または(0,1)または(1,0)または(1,1)によって定義される）のうちの１つの選択が、以下のようにフィードバックマッピング規則に基づき、すなわち、
−  受信された再構成情報の復号化が失敗した場合、ＡＣＫ／ＮＡＣＫ／ＤＴＸの前記生成されるフィードバックタプルが、前記第１のＰＵＣＣＨリソースまたは前記第３のＰＵＣＣＨリソースのいずれかを介して送信され、この場合、
ｉ  前記第１のサービングセルを介した前記第１のトランスポートブロックが正常に復号化され、前記第２のサービングセルを介した前記第２のトランスポートブロックに対応するＰＤＣＣＨが正常に復号化されない、または前記第２のサービングセルを介した前記第２のトランスポートブロックが正常に復号化されない場合、前記第１のＰＵＣＣＨリソースを介して送信される変調方式として変調シンボル（１，１）が選択され、
ｉｉ  前記第１のサービングセルを介した前記第１のトランスポートブロックが正常に復号化されず、前記第２のサービングセルを介した前記第２のトランスポートブロックに対応するＰＤＣＣＨが正常に復号化されない、または前記第２のサービングセルを介した前記第２のトランスポートブロックが正常に復号化されない場合、前記第１のＰＵＣＣＨリソースを介して送信される変調方式として変調シンボル（０，０）が選択され、
ｉｉｉ  前記第１のサービングセルを介した前記第１のトランスポートブロックが正常に復号化され、前記第２のサービングセルを介した前記第２のトランスポートブロックも正常に復号化される場合、前記第３のＰＵＣＣＨリソースを介して送信される変調方式として変調シンボル（１，１）が選択され、
ｉｖ  前記第１のサービングセルを介した前記第１のトランスポートブロックに対応するＰＤＣＣＨが正常に復号化されない、または前記第１のサービングセルを介した前記第１のトランスポートブロックが正常に復号化されず、前記第２のサービングセルを介した前記第２のトランスポートブロックが正常に復号化される場合、前記第３のＰＵＣＣＨリソースを介して送信される変調方式として変調シンボル（０，０）が選択され、
−  および／または、前記第２のサービングセルを介して受信される前記第２のトランスポートブロックの復号化が失敗し、前記第２のサービングセルを介して受信される前記再構成情報が失敗である場合、ＡＣＫ／ＮＡＣＫ／ＤＴＸの前記生成されるフィードバックタプルが、前記第１のＰＵＣＣＨリソースまたは前記第２のＰＵＣＣＨリソースのいずれかを介して送信され、この場合、
ｉ  前記第１のサービングセルを介した前記第１のトランスポートブロックが正常に復号化され、前記第２のサービングセルを介した前記再構成情報が正常に復号化されない場合、前記第１のＰＵＣＣＨリソースを介して送信される変調方式として変調シンボル（１，１）が選択され、
ｉｉ  前記第１のサービングセルを介した前記第１のトランスポートブロックが正常に復号化されず、前記第２のサービングセルを介した前記再構成情報が正常に復号化されない場合、前記第１のＰＵＣＣＨリソースを介して送信される変調方式として変調シンボル（０，０）が選択され、
ｉｉｉ  前記第１のサービングセルを介した前記第１のトランスポートブロックが正常に復号化され、前記第２のサービングセルを介した前記再構成情報も正常に復号化される場合、前記第２のＰＵＣＣＨリソースを介して送信される変調方式として変調シンボル（１，１）が選択され、
ｉｖ  前記第１のサービングセルを介した前記第１のトランスポートブロックに対応するＰＤＣＣＨが正常に復号化されない、または前記第１のサービングセルを介した前記第１のトランスポートブロックが正常に復号化されず、前記第２のサービングセルを介した前記第２のトランスポートブロックが正常に復号化される場合、前記第２のＰＵＣＣＨリソースを介して送信される変調方式として変調シンボル（０，０）が選択され、
−  および／または、前記第１のトランスポートブロックに対応するＰＤＣＣＨまたは前記第２のトランスポートブロックに対応するＰＤＣＣＨが正常に復号化されない場合、それぞれの前記第１または第３のＰＵＣＣＨリソースが、ＡＣＫ／ＮＡＣＫ／ＤＴＸの前記生成されるフィードバックタプルを送信するための選択から除外される、および／または、前記第１または第２のサービングセルを介して受信される再構成情報の復号化が失敗する場合、前記第２のＰＵＣＣＨリソースまたは前記第４のＰＵＣＣＨリソースが、ＡＣＫ／ＮＡＣＫ／ＤＴＸの前記生成されるフィードバックタプルを送信するための選択から除外され、
および／または、前記フィードバックマッピング規則が、
【表１】
0005814471.tif 000009
に対応する、
請求項６または請求項７に記載の受信装置。
【請求項９】
受信されるダウンリンクＰＤＳＣＨ送信に対応するアップリンクＰＵＣＣＨリソースの数が３つ（Ａ＝｛３｝）である場合、第１のサービングセルを介しての少なくとも１つのダウンリンク送信の受信が、第１のトランスポートブロックおよび第２のトランスポートブロックの受信を含み、第２のサービングセルを介しての少なくとも１つのダウンリンク送信の受信が、第３のトランスポートブロックの受信を含み、
および／または、前記選択されるアップリンクリソースが、
−  前記第１のサービングセルを介しての前記第１のトランスポートブロックの受信に対応する第１のＰＵＣＣＨリソース（ＰＵＣＣＨリソース０として定義される）、
−  前記第１のサービングセルを介しての前記第２のトランスポートブロックの受信に対応する第２のＰＵＣＣＨリソース（ＰＵＣＣＨリソース１として定義される）、
−  前記第２のサービングセルを介しての前記第３のトランスポートブロックの受信に対応する第３のＰＵＣＣＨリソース（ＰＵＣＣＨリソース２として定義される）、
−  前記第１のサービングセルを介して受信されるＥ−ＰＤＣＣＨ再構成情報のためのＰＤＣＣＨに対応する第４のＰＵＣＣＨリソース（ＰＵＣＣＨリソース１としても定義される）であって、Ｅ−ＰＤＣＣＨ再構成情報のためのＰＤＣＣＨの第１の制御チャネル要素（ＣＣＥ）から導かれる、前記第４のＰＵＣＣＨリソース、
−  前記第２のサービングセルを介して受信されるＥ−ＰＤＣＣＨ再構成情報のためのＰＤＣＣＨに対応する第５のＰＵＣＣＨリソース（ＰＵＣＣＨリソース３としても定義される）であって、上位層によって設定されるＰＵＣＣＨリソースからのＥ−ＰＤＣＣＨのためのＰＤＣＣＨの送信電力制御（ＴＰＣ）フィールドによって選択される、前記第５のＰＵＣＣＨリソース、
のうちの少なくとも１つである、
請求項１または請求項２に記載の受信装置。
【請求項１０】
−  前記第１のサービングセルにおける前記第１のトランスポートブロックおよび前記第２のトランスポートブロックを示す、受信されるＰＤＣＣＨの復号化が成功し、前記第１のサービングセルを介して受信される前記再構成情報の復号化が失敗した場合、複数の利用可能なアップリンクリソースのうちの１つの選択が、前記第１のＰＵＣＣＨリソースと、前記第２のＰＵＣＣＨリソースと、前記第３および第５のＰＵＣＣＨリソースの少なくとも一方と、の間で行われ、前記フィードバックタプルの第２の位置（HARQ-ACK(1)として定義される）が、前記第２のトランスポートブロックの復号化の成功／失敗を示す、または、
−  そうでない場合、複数の利用可能なアップリンクリソースのうちの１つの選択が、前記第１のＰＵＣＣＨリソースと、前記第３および第５のＰＵＣＣＨリソースのうちの少なくとも一方と、前記第４のＰＵＣＣＨリソースと、の間で行われ、前記フィードバックタプルの第２の位置（HARQ-ACK(1)として定義される）が、前記第１のサービングセルを介して受信される前記再構成情報の復号化の成功／失敗を示し、
および／または、前記フィードバックタプルの第１の位置（HARQ-ACK(0)として定義される）が、前記第１のサービングセルを介して受信される前記第１のトランスポートブロックの復号化の成功／失敗を示し、前記フィードバックタプルの第３の位置（HARQ-ACK(2)として定義される）が、前記第２のサービングセルを介して受信される前記第３のトランスポートブロックの復号化の成功／失敗を示し、前記フィードバックタプルの第４の位置（HARQ-ACK(３)として定義される）が、前記第２のサービングセルを介して受信される前記再構成情報の復号化の成功／失敗を示す、
請求項９に記載の受信装置。
【請求項１１】
ＡＣＫ／ＮＡＣＫ／ＤＴＸの前記生成されるフィードバックタプル（HARQ-ACK(0)、HARQ-ACK(1)、HARQ-ACK(2)、HARQ-ACK(3)によって定義される）において、複数のアップリンクＰＵＣＣＨリソースのうちの１つの選択と、複数の変調シンボル（(0,0)または(0,1)または(1,0)または(1,1)によって定義される）のうちの１つの選択が、次の表、
【表２】
0005814471.tif 000010
に対応するフィードバックマッピング規則に基づく、
請求項９または請求項１０に記載の受信装置。
【請求項１２】
受信されるダウンリンクＰＤＳＣＨ送信に対応するアップリンクＰＵＣＣＨリソースの数が４つ（Ａ＝｛４｝）である場合、第１のサービングセルを介しての少なくとも１つのダウンリンク送信の受信が、第１および第２のアップリンクＰＵＣＣＨリソースが対応する第１および第２のトランスポートブロックの受信を含み、第２のサービングセルを介しての少なくとも１つのダウンリンク送信の受信が、第３および第４のアップリンクＰＵＣＣＨリソースが対応する第３および第４のトランスポートブロックの受信を含み、
および／または、前記選択されるアップリンクリソースが、
−  前記第１のサービングセルを介しての前記第１のトランスポートブロックの受信に対応する第１のＰＵＣＣＨリソース（ＰＵＣＣＨリソース０として定義される）、
−  前記第１のサービングセルを介しての前記第２のトランスポートブロックの受信に対応する第２のＰＵＣＣＨリソース（ＰＵＣＣＨリソース１として定義される）、
−  前記第２のサービングセルを介しての前記第３のトランスポートブロックの受信に対応する第３のＰＵＣＣＨリソース（ＰＵＣＣＨリソース２として定義される）、
−  前記第２のサービングセルを介しての前記第４のトランスポートブロックの受信に対応する第４のＰＵＣＣＨリソース（ＰＵＣＣＨリソース３として定義される）、
−  前記第１のサービングセルを介して受信されるＥ−ＰＤＣＣＨ再構成情報のためのＰＤＣＣＨに対応する第５のＰＵＣＣＨリソース（ＰＵＣＣＨリソース１としても定義される）であって、前記第４のＰＵＣＣＨリソースが、Ｅ−ＰＤＣＣＨ再構成情報のためのＰＤＣＣＨの第１の制御チャネル要素（ＣＣＥ）から導かれる、
−  前記第２のサービングセルを介して受信されるＥ−ＰＤＣＣＨ再構成情報のためのＰＤＣＣＨに対応する第６のＰＵＣＣＨリソース（ＰＵＣＣＨリソース３としても定義される）であって、前記第５のＰＵＣＣＨリソースが、上位層によって設定されるＰＵＣＣＨリソースからのＥ−ＰＤＣＣＨのためのＰＤＣＣＨの送信電力制御（ＴＰＣ）フィールドによって選択される、
のうちの少なくとも１つである、
請求項１または請求項２に記載の受信装置。
【請求項１３】
−  前記第１のサービングセルにおける第１および第２のトランスポートブロックを示す受信されたＰＤＣＣＨの復号化が成功し、前記第１のサービングセルを介して受信される前記再構成情報の復号化が失敗した場合、複数の利用可能なアップリンクリソースのうちの１つの選択が、前記第１のＰＵＣＣＨリソース、前記第２のＰＵＣＣＨリソース、前記第３のＰＵＣＣＨリソース、および前記第４または前記第６のＰＵＣＣＨリソースの間で行われ、前記フィードバックタプルの第２の位置（HARQ-ACK(1)として定義される）が、前記第２のトランスポートブロックの復号化の成功／失敗を示す、または、
−  そうでない場合、複数の利用可能なアップリンクリソースのうちの１つの選択が、前記第１のアップリンクＰＵＣＣＨリソース、前記第３のＰＵＣＣＨリソース、前記第５のＰＵＣＣＨリソース、および前記第４または前記第６のＰＵＣＣＨリソースの間で行われ、前記フィードバックタプルの第２の位置（HARQ-ACK(1)として定義される）が、前記第１のサービングセルを介して受信される前記再構成情報の復号化の成功／失敗を示し、かつ、
−  前記第２のサービングセルにおける第３および第４のトランスポートブロックを示す受信されたＰＤＣＣＨの復号化が成功し、前記第２のサービングセルを介して受信される前記再構成情報の復号化が失敗した場合、複数の利用可能なアップリンクリソースのうちの１つの選択が、前記第１のＰＵＣＣＨリソース、前記第２または第５のＰＵＣＣＨリソース、前記第３のＰＵＣＣＨリソース、および前記第４のＰＵＣＣＨリソースの間で行われ、前記フィードバックタプルの第４の位置（HARQ-ACK(3)として定義される）が、前記第４のトランスポートブロックの復号化の成功／失敗を示す、または、
−  そうでない場合、複数の利用可能なアップリンクリソースのうちの１つの選択が、前記第１のアップリンクＰＵＣＣＨリソース、前記第２または第５のＰＵＣＣＨリソース、前記第３のＰＵＣＣＨリソース、および前記第６のＰＵＣＣＨリソースの間で行われ、前記フィードバックタプルの第４の位置（HARQ-ACK(3)として定義される）が、前記第２のサービングセルを介して受信される前記再構成情報の復号化の成功／失敗を示し、
および／または、前記フィードバックタプルの第１の位置（HARQ-ACK(0)として定義される）が、前記第１のサービングセルを介して受信される前記第１のトランスポートブロックの復号化の成功／失敗を示し、前記フィードバックタプルの第３の位置（HARQ-ACK(2)として定義される）が、前記第２のサービングセルを介して受信される前記第３のトランスポートブロックの復号化の成功／失敗を示す、
請求項１１に記載の受信装置。
【請求項１４】
ＡＣＫ／ＮＡＣＫ／ＤＴＸの前記生成されるフィードバックタプル（HARQ-ACK(0)、HARQ-ACK(1)、HARQ-ACK(2)、HARQ-ACK(3)によって定義される）において、複数のアップリンクＰＵＣＣＨリソースのうちの１つの選択と、複数の変調シンボル（(0,0)または(0,1)または(1,0)または(1,1)によって定義される）のうちの１つの選択が、次の表、
【表３】
0005814471.tif 000011
に対応するフィードバックマッピング規則に基づく、
請求項１２または請求項１３に記載の受信装置。
【請求項１５】
命令を格納しているコンピュータ可読媒体であって、前記命令が受信装置のプロセッサによって実行されたとき、それに起因して、少なくとも１つのサービングセルによって構成されている前記受信装置（ＵＥ）が、
前記送信装置から少なくとも１つのサービングセルを介して前記少なくとも１つのダウンリンク送信を受信し、少なくとも１つのサービングセルにおけるサーチスペースの再構成のための再構成情報を前記送信装置から受信するステップと、
前記少なくとも１つのダウンリンク送信について、前記それぞれのダウンリンク送信を正常に復号化できたかを判定し、さらに、前記受信された再構成情報を正常に復号化できたかを判定するステップと、
前記少なくとも１つのダウンリンク送信の復号化の成功／失敗に基づいて決まるＡＣＫ／ＮＡＣＫ／ＤＴＸと、前記再構成情報の復号化の成功／失敗に基づいて決まるＡＣＫ／ＤＴＸとを含むフィードバックタプルを生成するステップと、
前記フィードバックタプルを、
−  前記一次セルを介して前記フィードバックタプルを送信するのに利用可能な複数のアップリンクリソースのうちの選択される１つと、
−  前記選択されたアップリンクリソースで送信される変調方式の複数の変調シンボルのうちの選択される１つと、
の組合せとして送信するステップと、
によって、エンハンスト物理ダウンリンク制御チャネル（ｅ−ＰＤＣＣＨ）のサーチスペースの再構成試行に関するフィードバックと、少なくとも１つのダウンリンク送信に関するフィードバックとを、同時に送信装置（ｅＮＢ）に提供する、
コンピュータ可読媒体。
【請求項１６】
命令を格納しており、前記命令が、少なくとも１つのサービングセルによって構成されている受信装置のプロセッサによって実行されたとき、それに起因して、前記受信装置が、請求項２〜請求項１４のいずれかに記載の方法のステップを実行する、
請求項１５に記載のコンピュータ可読媒体。
【請求項１７】
一次セルを含む少なくとも１つのサービングセルによって構成されている受信装置（ＵＥ）によって、エンハンスト物理ダウンリンク制御チャネル（Ｅ−ＰＤＣＣＨ）のサーチスペースの再構成試行に関するフィードバックと、少なくとも１つのダウンリンク送信に関するフィードバックとを、送信装置（ｅＮＢ）に同時に提供する方法であって、前記受信装置（ＵＥ）によって行われる以下のステップ、すなわち、
前記送信装置から少なくとも１つのサービングセルを介して前記少なくとも１つのダウンリンク送信を受信するステップと、
少なくとも１つのサービングセルにおけるサーチスペースの再構成のための再構成情報を前記送信装置から受信するステップと、
前記少なくとも１つのダウンリンク送信について、前記それぞれのダウンリンク送信を正常に復号化できたかを判定し、さらに、前記受信された再構成情報を正常に復号化できたかを判定するステップと、
前記少なくとも１つのダウンリンク送信の復号化の成功／失敗に基づいて決まるＡＣＫ／ＮＡＣＫ／ＤＴＸと、前記再構成情報の復号化の成功／失敗に基づいて決まるＡＣＫ／ＤＴＸとを含むフィードバックタプルを生成するステップと、
前記フィードバックタプルを、
−  前記一次セルを介して前記フィードバックタプルを送信するのに利用可能な複数のアップリンクリソースのうちの選択される１つと、
−  前記選択されたアップリンクリソースで送信される変調方式の複数の変調シンボルのうちの選択される１つと、
の組合せとして送信するステップと、
を含んでいる、方法。
【請求項１８】
前記フィードバックタプルが、前記選択されたアップリンクリソースを介して、ＰＵＣＣＨフォーマット１ｂまたはＰＵＣＣＨフォーマット３において、選択された変調シンボルを使用して送信される、
および／または、複数の利用可能なアップリンクＰＵＣＣＨリソースの数が、受信されるダウンリンクＰＤＳＣＨ送信に対応する一次セルにおけるアップリンクＰＵＣＣＨリソースの数
【数２】
0005814471.tif 000012
よりも大きい、
請求項１７に記載の方法。
【請求項１９】
受信されるダウンリンクＰＤＳＣＨ送信に対応するアップリンクＰＵＣＣＨリソースの数が１つ（Ａ＝｛１｝）である場合、前記一次セルを介しての少なくとも１つのダウンリンク送信の受信が、第１のアップリンクＰＵＣＣＨリソースが対応する少なくとも１つのトランスポートブロックの受信を含んでいる、
および／または、前記選択されるアップリンクＰＵＣＣＨリソースが、
−  前記一次セルを介しての少なくとも１つのトランスポートブロックの受信に対応する第１のＰＵＣＣＨリソース（ＰＵＣＣＨリソース０として定義される）、
−  前記一次セルを介して受信されるＥ−ＰＤＣＣＨ再構成情報のためのＰＤＣＣＨに対応する第２のＰＵＣＣＨリソース（ＰＵＣＣＨリソース１として定義される）であって、Ｅ−ＰＤＣＣＨ再構成情報のためのＰＤＣＣＨの第１の制御チャネル要素（ＣＣＥ）から導かれる、前記第２のＰＵＣＣＨリソース、
のうちの少なくとも１つである、
請求項１７または請求項１８に記載の方法。
【請求項２０】
前記一次サービングセルを介しての１つのダウンリンク送信の受信が、第１のトランスポートブロックの受信を含んでいる場合、前記フィードバックタプルの第１の位置（ＨＡＲＱ−ＡＣＫ（０）として定義される）が、前記一次セルを介して受信された前記第１のトランスポートブロックの復号化の成功／失敗を示し、前記フィードバックタプルの第２の位置（ＨＡＲＱ−ＡＣＫ（１）として定義される）が、前記一次セルを介して受信された前記再構成情報の復号化の成功／失敗を示す、または、
前記一次サービングセルを介しての１つのダウンリンク送信の受信が、第１のトランスポートブロックおよび第２のトランスポートブロックの受信を含んでいる場合、前記フィードバックタプルの第１の位置（ＨＡＲＱ−ＡＣＫ（０）として定義される）が、前記一次セルを介して受信された前記第１のトランスポートブロックの復号化の成功／失敗を示し、前記フィードバックタプルの第２の位置（ＨＡＲＱ−ＡＣＫ（１）として定義される）が、前記一次セルを介して受信された前記第２のトランスポートブロックの復号化の成功／失敗を示し、前記フィードバックタプルの第３の位置（ＨＡＲＱ−ＡＣＫ（２）として定義される）が、前記一次セルを介して受信された前記再構成情報の復号化の成功／失敗を示す、
請求項１９に記載の方法。
【請求項２１】
ＡＣＫ／ＮＡＣＫ／ＤＴＸの生成されるフィードバックタプル（HARQ-ACK(0)、HARQ-ACK(1)、またはHARQ-ACK(0)、HARQ-ACK(1)、HARQ-ACK(2)によって定義される）において、複数のアップリンクＰＵＣＣＨリソースのうちの１つの選択と、複数の変調シンボル（(0,0)または(0,1)または(1,0)または(1,1)によって定義される）のうちの１つの選択が、
−  前記受信された再構成情報の復号化が成功した場合、ＡＣＫ／ＮＡＣＫ／ＤＴＸの前記生成されたフィードバックタプルの送信が前記第１のＰＵＣＣＨリソースで行われ、前記再構成情報の復号化が失敗した場合、ＡＣＫ／ＮＡＣＫ／ＤＴＸの前記生成されたフィードバックタプルの送信が前記第２のＰＵＣＣＨリソースで行われる、
ように、フィードバックマッピング規則に基づく、
請求項１９または請求項２０に記載の方法。
【請求項２２】
受信されるダウンリンクＰＤＳＣＨ送信に対応するアップリンクＰＵＣＣＨリソースの数が２つ（Ａ＝｛２｝）である場合、第１のサービングセルを介しての少なくとも１つのダウンリンク送信の受信が、第１のトランスポートブロックの受信を含んでおり、第２のサービングセルを介しての少なくとも１つのダウンリンク送信の受信が、第２のトランスポートブロックの受信を含んでいる、
および／または、前記選択されるアップリンクＰＵＣＣＨリソースが、
−  前記第１のサービングセルを介しての前記第１のトランスポートブロックの受信に対応する第１のＰＵＣＣＨリソース（ＰＵＣＣＨリソース０として定義される）、
−  前記第１のサービングセルを介して受信されるＥ−ＰＤＣＣＨ再構成情報のためのＰＤＣＣＨに対応する第２のＰＵＣＣＨリソース（ＰＵＣＣＨリソース１として定義される）であって、Ｅ−ＰＤＣＣＨ再構成情報のためのＰＤＣＣＨの第１の制御チャネル要素（ＣＣＥ）から導かれる、前記第２のＰＵＣＣＨリソース、
−  前記第２のサービングセルを介しての前記第２のトランスポートブロックの受信に対応する第３のＰＵＣＣＨリソース（ＰＵＣＣＨリソース２として定義される）、
−  前記第２のサービングセルを介して受信されるＥ−ＰＤＣＣＨ再構成情報のためのＰＤＣＣＨに対応する第４のＰＵＣＣＨリソース（ＰＵＣＣＨリソース３として定義される）であって、上位層によって設定されるＰＵＣＣＨリソースからのＥ−ＰＤＣＣＨのためのＰＤＣＣＨの送信電力制御（ＴＰＣ）フィールドによって選択される、前記第４のＰＵＣＣＨリソース、
のうちの少なくとも１つである、
請求項１７または請求項１８に記載の方法。
【請求項２３】
前記生成されるフィードバックタプルの第１の位置（HARQ-ACK(0)として定義される）が、前記第１のサービングセルを介して受信される前記第１のトランスポートブロックの復号化の成功／失敗を示し、前記フィードバックタプルの第２の位置（HARQ-ACK(1)として定義される）が、前記第１のサービングセルを介して受信される前記再構成情報の復号化の成功／失敗を示し、前記フィードバックタプルの第３の位置（HARQ-ACK(2)として定義される）が、前記第２のサービングセルを介して受信される前記第２のトランスポートブロックの復号化の成功／失敗を示し、前記フィードバックタプルの第４の位置（HARQ-ACK(3)として定義される）が、前記第２のサービングセルを介して受信される前記再構成情報の復号化の成功／失敗を示す、
請求項２２に記載の方法。
【請求項２４】
ＡＣＫ／ＮＡＣＫ／ＤＴＸの生成されるフィードバックタプル（HARQ-ACK(0)、HARQ-ACK(1)、HARQ-ACK(2)、HARQ-ACK(3)によって定義される）において、複数のアップリンクＰＵＣＣＨリソースのうちの１つの選択と、複数の変調シンボル（(0,0)または(0,1)または(1,0)または(1,1)によって定義される）のうちの１つの選択が、以下のようにフィードバックマッピング規則に基づき、すなわち、
−  受信された再構成情報の復号化が失敗した場合、ＡＣＫ／ＮＡＣＫ／ＤＴＸの前記生成されるフィードバックタプルが、前記第１のＰＵＣＣＨリソースまたは前記第３のＰＵＣＣＨリソースのいずれかを介して送信され、この場合、
ｉ  前記第１のサービングセルを介した前記第１のトランスポートブロックが正常に復号化され、前記第２のサービングセルを介した前記第２のトランスポートブロックに対応するＰＤＣＣＨが正常に復号化されない、または前記第２のサービングセルを介した前記第２のトランスポートブロックが正常に復号化されない場合、前記第１のＰＵＣＣＨリソースを介して送信される変調方式として変調シンボル（１，１）が選択され、
ｉｉ  前記第１のサービングセルを介した前記第１のトランスポートブロックが正常に復号化されず、前記第２のサービングセルを介した前記第２のトランスポートブロックに対応するＰＤＣＣＨが正常に復号化されない、または前記第２のサービングセルを介した前記第２のトランスポートブロックが正常に復号化されない場合、前記第１のＰＵＣＣＨリソースを介して送信される変調方式として変調シンボル（０，０）が選択され、
ｉｉｉ  前記第１のサービングセルを介した前記第１のトランスポートブロックが正常に復号化され、前記第２のサービングセルを介した前記第２のトランスポートブロックも正常に復号化される場合、前記第３のＰＵＣＣＨリソースを介して送信される変調方式として変調シンボル（１，１）が選択され、
ｉｖ  前記第１のサービングセルを介した前記第１のトランスポートブロックに対応するＰＤＣＣＨが正常に復号化されない、または前記第１のサービングセルを介した前記第１のトランスポートブロックが正常に復号化されず、前記第２のサービングセルを介した前記第２のトランスポートブロックが正常に復号化される場合、前記第３のＰＵＣＣＨリソースを介して送信される変調方式として変調シンボル（０，０）が選択され、
−  および／または、前記第２のサービングセルを介して受信される前記第２のトランスポートブロックの復号化が失敗し、前記第２のサービングセルを介して受信される前記再構成情報が失敗である場合、ＡＣＫ／ＮＡＣＫ／ＤＴＸの前記生成されるフィードバックタプルが、前記第１のＰＵＣＣＨリソースまたは前記第２のＰＵＣＣＨリソースのいずれかを介して送信され、この場合、
ｉ  前記第１のサービングセルを介した前記第１のトランスポートブロックが正常に復号化され、前記第２のサービングセルを介した前記再構成情報が正常に復号化されない場合、前記第１のＰＵＣＣＨリソースを介して送信される変調方式として変調シンボル（１，１）が選択され、
ｉｉ  前記第１のサービングセルを介した前記第１のトランスポートブロックが正常に復号化されず、前記第２のサービングセルを介した前記再構成情報が正常に復号化されない場合、前記第１のＰＵＣＣＨリソースを介して送信される変調方式として変調シンボル（０，０）が選択され、
ｉｉｉ  前記第１のサービングセルを介した前記第１のトランスポートブロックが正常に復号化され、前記第２のサービングセルを介した前記再構成情報も正常に復号化される場合、前記第２のＰＵＣＣＨリソースを介して送信される変調方式として変調シンボル（１，１）が選択され、
ｉｖ  前記第１のサービングセルを介した前記第１のトランスポートブロックに対応するＰＤＣＣＨが正常に復号化されない、または前記第１のサービングセルを介した前記第１のトランスポートブロックが正常に復号化されず、前記第２のサービングセルを介した前記第２のトランスポートブロックが正常に復号化される場合、前記第２のＰＵＣＣＨリソースを介して送信される変調方式として変調シンボル（０，０）が選択され、
−  および／または、前記第１のトランスポートブロックに対応するＰＤＣＣＨまたは前記第２のトランスポートブロックに対応するＰＤＣＣＨが正常に復号化されない場合、それぞれの前記第１または第３のＰＵＣＣＨリソースが、ＡＣＫ／ＮＡＣＫ／ＤＴＸの前記生成されるフィードバックタプルを送信するための選択から除外される、および／または、前記第１または第２のサービングセルを介して受信される再構成情報の復号化が失敗する場合、前記第２のＰＵＣＣＨリソースまたは前記第４のＰＵＣＣＨリソースが、ＡＣＫ／ＮＡＣＫ／ＤＴＸの前記生成されるフィードバックタプルを送信するための選択から除外され、
および／または、前記フィードバックマッピング規則が、
【表４】
0005814471.tif 000013
に対応する、
請求項２２または請求項２３に記載の方法。
【請求項２５】
受信されるダウンリンクＰＤＳＣＨ送信に対応するアップリンクＰＵＣＣＨリソースの数が３つ（Ａ＝｛３｝）である場合、第１のサービングセルを介しての少なくとも１つのダウンリンク送信の受信が、第１のトランスポートブロックおよび第２のトランスポートブロックの受信を含み、第２のサービングセルを介しての少なくとも１つのダウンリンク送信の受信が、第３のトランスポートブロックの受信を含み、
および／または、前記選択されるアップリンクリソースが、
−  前記第１のサービングセルを介しての前記第１のトランスポートブロックの受信に対応する第１のＰＵＣＣＨリソース（ＰＵＣＣＨリソース０として定義される）、
−  前記第１のサービングセルを介しての前記第２のトランスポートブロックの受信に対応する第２のＰＵＣＣＨリソース（ＰＵＣＣＨリソース１として定義される）、
−  前記第２のサービングセルを介しての前記第３のトランスポートブロックの受信に対応する第３のＰＵＣＣＨリソース（ＰＵＣＣＨリソース２として定義される）、
−  前記第１のサービングセルを介して受信されるＥ−ＰＤＣＣＨ再構成情報のためのＰＤＣＣＨに対応する第４のＰＵＣＣＨリソース（ＰＵＣＣＨリソース１としても定義される）であって、Ｅ−ＰＤＣＣＨ再構成情報のためのＰＤＣＣＨの第１の制御チャネル要素（ＣＣＥ）から導かれる、前記第４のＰＵＣＣＨリソース、
−  前記第２のサービングセルを介して受信されるＥ−ＰＤＣＣＨ再構成情報のためのＰＤＣＣＨに対応する第５のＰＵＣＣＨリソース（ＰＵＣＣＨリソース３としても定義される）であって、上位層によって設定されるＰＵＣＣＨリソースからのＥ−ＰＤＣＣＨのためのＰＤＣＣＨの送信電力制御（ＴＰＣ）フィールドによって選択される、前記第５のＰＵＣＣＨリソース、
のうちの少なくとも１つである、
請求項１７または請求項１８に記載の方法。
【請求項２６】
−  前記第１のサービングセルにおける前記第１のトランスポートブロックおよび前記第２のトランスポートブロックを示す、受信されるＰＤＣＣＨの復号化が成功し、前記第１のサービングセルを介して受信される前記再構成情報の復号化が失敗した場合、複数の利用可能なアップリンクリソースのうちの１つの選択が、前記第１のＰＵＣＣＨリソースと、前記第２のＰＵＣＣＨリソースと、前記第３および第５のＰＵＣＣＨリソースの少なくとも一方と、の間で行われ、前記フィードバックタプルの第２の位置（HARQ-ACK(1)として定義される）が、前記第２のトランスポートブロックの復号化の成功／失敗を示す、または、
−  そうでない場合、複数の利用可能なアップリンクリソースのうちの１つの選択が、前記第１のＰＵＣＣＨリソースと、前記第３および第５のＰＵＣＣＨリソースのうちの少なくとも一方と、前記第４のＰＵＣＣＨリソースと、の間で行われ、前記フィードバックタプルの第２の位置（HARQ-ACK(1)として定義される）が、前記第１のサービングセルを介して受信される前記再構成情報の復号化の成功／失敗を示し、
および／または、前記フィードバックタプルの第１の位置（HARQ-ACK(0)として定義される）が、前記第１のサービングセルを介して受信される前記第１のトランスポートブロックの復号化の成功／失敗を示し、前記フィードバックタプルの第３の位置（HARQ-ACK(2)として定義される）が、前記第２のサービングセルを介して受信される前記第３のトランスポートブロックの復号化の成功／失敗を示し、前記フィードバックタプルの第４の位置（HARQ-ACK(３)として定義される）が、前記第２のサービングセルを介して受信される前記再構成情報の復号化の成功／失敗を示す、
請求項２５に記載の方法。
【請求項２７】
ＡＣＫ／ＮＡＣＫ／ＤＴＸの前記生成されるフィードバックタプル（HARQ-ACK(0)、HARQ-ACK(1)、HARQ-ACK(2)、HARQ-ACK(3)によって定義される）において、複数のアップリンクＰＵＣＣＨリソースのうちの１つの選択と、複数の変調シンボル（(0,0)または(0,1)または(1,0)または(1,1)によって定義される）のうちの１つの選択が、以下の表、
【表５】
0005814471.tif 000014
に対応するフィードバックマッピング規則に基づく、
請求項２５または請求項２６に記載の方法。
【請求項２８】
受信されるダウンリンクＰＤＳＣＨ送信に対応するアップリンクＰＵＣＣＨリソースの数が４つ（Ａ＝｛４｝）である場合、第１のサービングセルを介しての少なくとも１つのダウンリンク送信の受信が、第１および第２のアップリンクＰＵＣＣＨリソースが対応する第１および第２のトランスポートブロックの受信を含み、第２のサービングセルを介しての少なくとも１つのダウンリンク送信の受信が、第３および第４のアップリンクＰＵＣＣＨリソースが対応する第３および第４のトランスポートブロックの受信を含み、
および／または、前記選択されるアップリンクリソースが、
−  前記第１のサービングセルを介しての前記第１のトランスポートブロックの受信に対応する第１のＰＵＣＣＨリソース（ＰＵＣＣＨリソース０として定義される）、
−  前記第１のサービングセルを介しての前記第２のトランスポートブロックの受信に対応する第２のＰＵＣＣＨリソース（ＰＵＣＣＨリソース１として定義される）、
−  前記第２のサービングセルを介しての前記第３のトランスポートブロックの受信に対応する第３のＰＵＣＣＨリソース（ＰＵＣＣＨリソース２として定義される）、
−  前記第２のサービングセルを介しての前記第４のトランスポートブロックの受信に対応する第４のＰＵＣＣＨリソース（ＰＵＣＣＨリソース３として定義される）、
−  前記第１のサービングセルを介して受信されるＥ−ＰＤＣＣＨ再構成情報のためのＰＤＣＣＨに対応する第５のＰＵＣＣＨリソース（ＰＵＣＣＨリソース１としても定義される）であって、前記第４のＰＵＣＣＨリソースが、Ｅ−ＰＤＣＣＨ再構成情報のためのＰＤＣＣＨの第１の制御チャネル要素（ＣＣＥ）から導かれる、
−  前記第２のサービングセルを介して受信されるＥ−ＰＤＣＣＨ再構成情報のためのＰＤＣＣＨに対応する第６のＰＵＣＣＨリソース（ＰＵＣＣＨリソース３としても定義される）であって、前記第５のＰＵＣＣＨリソースが、上位層によって設定されるＰＵＣＣＨリソースからのＥ−ＰＤＣＣＨのためのＰＤＣＣＨの送信電力制御（ＴＰＣ）フィールドによって選択される、
のうちの少なくとも１つである、
請求項１７または請求項１８に記載の方法。
【請求項２９】
−  前記第１のサービングセルにおける第１および第２のトランスポートブロックを示す受信されたＰＤＣＣＨの復号化が成功し、前記第１のサービングセルを介して受信される前記再構成情報の復号化が失敗した場合、複数の利用可能なアップリンクリソースのうちの１つの選択が、前記第１のＰＵＣＣＨリソース、前記第２のＰＵＣＣＨリソース、前記第３のＰＵＣＣＨリソース、および前記第４または前記第６のＰＵＣＣＨリソースの間で行われ、前記フィードバックタプルの第２の位置（HARQ-ACK(1)として定義される）が、前記第２のトランスポートブロックの復号化の成功／失敗を示す、または、
−  そうでない場合、複数の利用可能なアップリンクリソースのうちの１つの選択が、前記第１のアップリンクＰＵＣＣＨリソース、前記第３のＰＵＣＣＨリソース、前記第５のＰＵＣＣＨリソース、および前記第４または前記第６のＰＵＣＣＨリソースの間で行われ、前記フィードバックタプルの第２の位置（HARQ-ACK(1)として定義される）が、前記第１のサービングセルを介して受信される前記再構成情報の復号化の成功／失敗を示し、かつ、
−  前記第２のサービングセルにおける第３および第４のトランスポートブロックを示す受信されたＰＤＣＣＨの復号化が成功し、前記第２のサービングセルを介して受信される前記再構成情報の復号化が失敗した場合、複数の利用可能なアップリンクリソースのうちの１つの選択が、前記第１のＰＵＣＣＨリソース、前記第２または第５のＰＵＣＣＨリソース、前記第３のＰＵＣＣＨリソース、および前記第４のＰＵＣＣＨリソースの間で行われ、前記フィードバックタプルの第４の位置（HARQ-ACK(3)として定義される）が、前記第４のトランスポートブロックの復号化の成功／失敗を示す、または、
−  そうでない場合、複数の利用可能なアップリンクリソースのうちの１つの選択が、前記第１のアップリンクＰＵＣＣＨリソース、前記第２または第５のＰＵＣＣＨリソース、前記第３のＰＵＣＣＨリソース、および前記第６のＰＵＣＣＨリソースの間で行われ、前記フィードバックタプルの第４の位置（HARQ-ACK(3)として定義される）が、前記第２のサービングセルを介して受信される前記再構成情報の復号化の成功／失敗を示し、
および／または、前記フィードバックタプルの第１の位置（HARQ-ACK(0)として定義される）が、前記第１のサービングセルを介して受信される前記第１のトランスポートブロックの復号化の成功／失敗を示し、前記フィードバックタプルの第３の位置（HARQ-ACK(2)として定義される）が、前記第２のサービングセルを介して受信される前記第３のトランスポートブロックの復号化の成功／失敗を示す、
請求項２７に記載の方法。
【請求項３０】
ＡＣＫ／ＮＡＣＫ／ＤＴＸの前記生成されるフィードバックタプル（HARQ-ACK(0)、HARQ-ACK(1)、HARQ-ACK(2)、HARQ-ACK(3)によって定義される）において、複数のアップリンクＰＵＣＣＨリソースのうちの１つの選択と、複数の変調シンボル（(0,0)または(0,1)または(1,0)または(1,1)によって定義される）のうちの１つの選択が、次の表、
【表６】
0005814471.tif 000015
に対応するフィードバックマッピング規則に基づく、
請求項２８または請求項２９に記載の方法。
【発明の詳細な説明】
【技術分野】
【０００１】
本発明は、無線通信システムにおいてエンハンストＰＤＣＣＨ（物理ダウンリンク制御チャネル）のサーチスペースを迅速に再構成することに関し、詳細には、エンハンストＰＤＣＣＨのサーチスペースの再構成試行に関する低レイテンシのフィードバックを提供する方法と、対応する装置とに関する。
【背景技術】
【０００２】
例えば３ＧＰＰ（third generation partnership project）で標準化されたＵＭＴＳ（Universal Mobile Telecommunication System）などの第３世代（３Ｇ）の移動システムは、ＷＣＤＭＡ（Wideband Code Division Multiple Access）（登録商標）無線アクセス技術に基づいている。今日、３Ｇシステムは世界中に広範な規模で配備されつつある。ＨＳＤＰＡ（High-Speed Downlink Packet Access）、及び、ＨＳＵＰＡ（High-Speed Uplink Packet Access）とも呼ばれる強化されたアップリンクを導入することによってこの技術を拡張した後、ＵＭＴＳ標準の発展における次の主要な段階では、ダウンリンクでのＯＦＤＭ（Orthogonal Frequency Division Multiplexing）と、アップリンクでのＳＣ−ＦＤＭＡ（Single Carrier Frequency Division Multiplexing Access）との組み合わせが取り入れられた。このシステムは、将来の技術発展に対応していくことを意図しているため、ＬＴＥ（Long Term Evolution）と名付けられている。
【０００３】
ＬＴＥシステムは、低待ち時間かつ低コストでＩＰに完全に基づく諸機能を提供する、パケットを利用した効率的な無線アクセス及び無線アクセスネットワークに相当する。詳細なシステム要件は、非特許文献１（http://www.3gpp.org/で入手することができ、その内容は本明細書に援用される）で得られる。ダウンリンクは、ＱＰＳＫ、１６ＱＡＭ、および６４ＱＡＭのデータ変調方式に対応し、アップリンクはＢＰＳＫ、ＱＰＳＫ、８ＰＳＫ、および１６ＱＡＭに対応する。
【０００４】
ＬＴＥのネットワーク・アクセスは、５ＭＨｚにチャネルが固定されたＵＴＲＡ（UMTS Terrestrial Radio Access）と対照的に、１.２５〜２０ＭＨｚの間のいくつかの規定チャネル帯域幅を使用し、柔軟性が非常に高い。スペクトル効率はＵＴＲＡと比べて最高で４倍まで向上され、アーキテクチャおよびシグナリングの改善により往復の待ち時間が短縮される。ＭＩＭＯ（Multiple Input/Multiple Output）のアンテナ技術により、３ＧＰＰの当初のＷＣＤＭＡ無線アクセス技術に比べて１セル当たり１０倍のユーザに対応できるようになる。可能な限り多くの周波数帯割当の配置に適合するために、ペアになった帯域動作（ＦＤＤ：Frequency Division Duplex）およびペアをなさない帯域動作（ＴＤＤ：Time Division Duplex）の両方に対応する。ＬＴＥは、隣接するチャネル内でも以前の３ＧＰＰ無線技術と共存することができ、すべての３ＧＰＰの以前の無線アクセス技術との間で呼を受け渡しすることができる。
【０００５】
図１に、ＬＴＥリリース８のコンポーネントキャリア（Component Carrier）の構造を示す。３ＧＰＰ ＬＴＥリリース８のダウンリンクのコンポーネントキャリアは、時間−周波数領域でいわゆるサブフレームに分割される。各サブフレームは、１期間Ｔｓｌｏｔに相当する２つのダウンリンク・スロット１２０に分割される。第１のダウンリンク・スロットは、先頭のＯＦＤＭシンボルの中に制御チャネル領域を備える。各サブフレームは、時間領域の所定数のＯＦＤＭシンボルからなる。各ＯＦＤＭシンボルはコンポーネントキャリアの帯域幅全体に渡る。スケジューラによって割り当てることができる最小単位のリソースはリソースブロック１３０であり、これは物理リソースブロック（ＰＲＢ：Physical Resource Block）とも呼ばれる。ＰＲＢ１３０は時間領域のＮsymbDL個の連続したＯＦＤＭシンボルおよび周波数領域のＮSCRB個の連続したサブキャリアとして定義される。実際の運用では、ダウンリンクリソースはリソースブロックペアとして割り当てられる。リソースブロックペアは、２つのリソースブロックからなる。１リソースブロックペアは、周波数領域のＮSCRB個の連続したサブキャリアと、時間領域のサブフレームの２・ＮsymbDL個の全変調シンボルに渡る。ＮsymbDLは６または７であり、結果として合計１２個または１４個のＯＦＤＭシンボルがあることになる。したがって、物理リソースブロック１３０は、時間領域の１スロットおよび周波数領域の１８０ｋＨｚに相当するＮsymbDL×ＮSCRB個のリソースエレメント（Resource Element）１４０からなる（ダウンリンクのリソースグリッドに関するさらなる詳細は、例えば非特許文献２（http://www.3gpp.org.で入手可能）で得ることができ、その内容は本明細書に援用される）。
【０００６】
ダウンリンクの物理リソースブロックの数ＮRBDLは、セル内で設定されたダウンリンク送信の帯域幅に応じて決まり、現在ＬＴＥでは６〜１１０個のＰＲＢで規定される。
【０００７】
データは、仮想リソースブロックのペアを利用して物理リソースブロックにマッピングされる。仮想リソースブロックのペアが物理リソースブロックのペアにマッピングされる。下記の２種類の仮想リソースブロックが、ＬＴＥのダウンリンクの物理リソースブロックへのマッピングに従って定義される。
−ＬＶＲＢ（Localized Virtual Resource Block、局所ＶＲＢ）
−ＤＶＲＢ（Distributed Virtual Resource Block、分散ＶＲＢ）
【０００８】
局所ＶＲＢを使用する局所送信モードでは、ｅＮＢが、どのリソースブロックをどれくらい使用するかについて完全に制御し、通常はその制御により、スペクトル効率が高くなるリソースブロックを選択する。大半の移動通信システムでは、その結果、隣接する物理リソースブロックまたは隣接する物理リソースブロックの複数個のまとまりが単一のユーザ機器への送信のために使用されることになる。これは、無線チャネルが周波数領域でコヒーレントであるためであり、１つの物理リソースブロックで高いスペクトル効率が得られる場合には、それに隣接する物理リソースブロックでも同様に高いスペクトル効率が得られる可能性が高いことを示唆する。分散ＶＲＢを使用する分散伝送モードでは、充分に高いスペクトル効率をもたらす少なくともいくつかの物理リソースブロックに当たり、それにより周波数ダイバーシティを得るために、同じＵＥ向けデータを伝送する物理リソースブロックが周波数帯に渡って分散される。
【０００９】
３ＧＰＰ ＬＴＥリリース８では、アップリンクおよびダウンリンクに１つのコンポーネントキャリアしかない。ダウンリンクの制御シグナリングは、基本的に次の３つの物理的なチャネルによって伝送される。
−サブフレームにおいて制御シグナリングに使用されるＯＦＤＭシンボルの数（すなわち制御チャネル領域の大きさ）を指示するＰＣＦＩＣＨ（Physical Control Format Indicator Channel）、
−アップリンクのデータ送信に関連するダウンリンクのＡＣＫ／ＮＡＣＫを伝送するＰＨＩＣＨ（Physical Hybrid ARQ Indicator Channel）、および
−ダウンリンクのスケジューリング割当およびアップリンクのスケジューリング割当を伝送するＰＤＣＣＨ（Physical Downlink Control Channel。物理ダウンリンク制御チャネル）。
【００１０】
ＰＣＦＩＣＨは、既知の所定の変調および符号化方式を使用して、ダウンリンクサブフレームの制御シグナリング領域内の既知の位置から送信される。ユーザ機器は、サブフレーム中の制御シグナリング領域の大きさ、例えばＯＦＤＭシンボルの数に関する情報を得るためにＰＣＦＩＣＨを復号する。ユーザ機器（ＵＥ：User Equipment）がＰＣＦＩＣＨを復号できない場合、または誤りのあるＰＣＦＩＣＨ値を得た場合、制御シグナリング領域に含まれるＬ１／Ｌ２制御シグナリング（ＰＤＣＣＨ）を正しく復号することができず、その結果制御シグナリング領域に含まれるすべてのリソース割当が失われる可能性がある。
【００１１】
ＰＤＣＣＨは、例えばダウンリンクまたはアップリンクのデータ送信用のリソースを割り当てるためのスケジューリング・グラントなどの制御情報を伝送する。物理制御チャネルは、１つまたは数個の連続したＣＣＥ（Control Channel Element）を集約（aggregation）したもので送信される。各ＣＣＥは、いわゆるリソースエレメントグループ（ＲＥＧ：Resource Element Group）にまとめられたリソースエレメントの組に相当する。ＣＣＥは、通例、９個のリソースエレメントグループに対応する。ＰＤＣＣＨ内のスケジューリング・グラントは、ＣＣＥに基づいて定義される。リソースエレメントグループは、リソースエレメントへの制御チャネルのマッピングを定義するために使用される。各ＲＥＧは、同じＯＦＤＭシンボル中にある参照信号を除く４つの連続したリソースエレメントからなる。ＲＥＧは、１つのサブフレーム内の１番目から４番目のＯＦＤＭシンボルに存在する。ユーザ機器向けのＰＤＣＣＨは、サブフレーム中のＰＣＦＩＣＨに従って、先頭の１つ、２つ、または３つのＯＦＤＭシンボルで送信される。
【００１２】
３ＧＰＰ ＬＴＥリリース８（および後のリリース）において物理リソースへのデータのマッピングに使用される別の論理単位はリソースブロックグループ（ＲＢＧ）である。リソースブロックグループは、（周波数で）連続した物理リソースブロックの組である。ＲＢＧの概念は、指示などのためのオーバーヘッドを最小にし、それにより送信時のデータに対する制御オーバーヘッドの比率を下げるために、受信ノード（例えばＵＥ）に割り当てられるリソースの位置を指示するために特定のＲＢＧをアドレス指定することを可能にする。現在、ＲＢＧのサイズは、システム帯域幅、具体的には、ＮRBDLに応じて、１、２、３または４と指定されている。ＬＴＥリリース８におけるＰＤＣＣＨのＲＢＧのマッピングに関するさらなる詳細は、非特許文献３（http://www.3gpp.org/で自由に入手可能）で得られ、その内容は本明細書に援用される。
【００１３】
ＰＤＳＣＨ（Physical Downlink Shared Channel：物理ダウンリンク共有チャネル）はユーザデータの伝送に使用される。ＰＤＳＣＨは、１つのサブフレーム中でＰＤＣＣＨの後に残りのＯＦＤＭシンボルにマッピングされる。１つのＵＥに割り当てられるＰＤＳＣＨリソースは、サブフレームごとにリソースブロックを単位とする。
【００１４】
図２に、サブフレーム内のＰＤＣＣＨ及びＰＤＳＣＨのマッピング例を示す。最初の２つのＯＦＤＭシンボルが制御チャネル領域（ＰＤＣＣＨ領域）を形成し、Ｌ１／Ｌ２の制御シグナリングに使用される。残りの１２個のＯＦＤＭシンボルがデータチャネル領域（ＰＤＳＣＨ領域）を形成し、データに使用される。すべてのサブフレームのリソースブロックペアで、セル固有の参照信号、いわゆるＣＲＳ（Common Reference Signal：共通参照信号）が１つまたは数個のアンテナポート０〜３で送信される。図２の例では、ＣＲＳは、Ｒ０およびＲ１の２つのアンテナポートから送信される。さらに、サブフレームは、ユーザ機器でＰＤＳＣＨを復調するために使用されるＵＥ固有の参照信号、いわゆるＤＭ−ＲＳ（Demodulation Reference Signal：復調用参照信号）も含む。ＤＭ−ＲＳは、特定のユーザ機器に対してＰＤＳＣＨが割り当てられているリソースブロックでのみ送信される。ＤＭ−ＲＳを用いてＭＩＭＯに対応するために、４つのＤＭ−ＲＳ層が定義され、すなわち最大で４層のＭＩＭＯがサポートされることを意味する。この例では、図２で、ＤＭ−ＲＳ層１、２、３、および４がＭＩＭＯ層１、２、３、および４に対応している。
【００１５】
ＬＴＥの主要な特徴の１つは、同期された１つの周波数ネットワークを通じて複数のセルからマルチキャストデータまたはブロードキャストデータを送信できることであり、これはＭＢＳＦＮ（Multimedia Broadcast Single Frequency Network）動作と呼ばれる。ＭＢＳＦＮ動作では、ＵＥは、複数のセルから同期された信号を受信し、それらの信号を合成する。これを容易にするために、ＵＥは、ＭＢＳＦＮ参照信号に基づいて別個のチャネル推定を行う必要がある。同じサブフレーム内にＭＢＳＦＮ参照信号と通常の参照信号とが混在することを回避するために、ＭＢＳＦＮサブフレームと呼ばれる特定のサブフレームがＭＢＳＦＮ送信から予約される。
【００１６】
ＭＢＳＦＮサブフレームの構造が図３に示され、最初の２つのＯＦＤＭシンボルまでが非ＭＢＳＦＮ送信のために予約され、残りのＯＦＤＭシンボルがＭＢＳＦＮ送信に使用される。１番目から２番目のＯＦＤＭシンボルにおいて、アップリンクリソース割当のためのＰＤＣＣＨとＰＨＩＣＨとを送信することができ、セル固有の参照信号は、非ＭＢＳＦＮ送信用のサブフレームと同じである。１つのセル内のＭＢＳＦＮサブフレームの特定のパターンは、そのセルのシステム情報でブロードキャストされる。ＭＢＳＦＮを受信することができないＵＥは、１番目から２番目のＯＦＤＭシンボルを復号し、残りのＯＦＤＭシンボルは無視する。ＭＢＳＦＮサブフレームの構成は、１０ｍｓおよび４０ｍｓ両方の周期に対応可能である。ただし、番号０、４、５、および９のサブフレームは、ＭＢＳＦＮサブフレームとして設定することができない。図３に、ＭＢＳＦＮサブフレームの形式を示す。Ｌ１／Ｌ２の制御シグナリングで送信されるＰＤＣＣＨ情報は、共有制御情報と個別制御情報に分けることができる。
【００１７】
ＩＭＴ−ａｄｖａｎｃｅｄの周波数スペクトルは、２００８年１１月に開催された世界無線通信会議（ＷＲＣ−０７）で決定された。しかし、利用可能な実際の周波数帯幅は、地域または国ごとに異なる場合がある。３ＧＰＰにより標準化されたＬＴＥの拡張版は、ＬＴＥ−ａｄｖａｎｃｅｄ（ＬＴＥ−Ａ）と呼ばれ、リリース１０の主題として承認されている。ＬＴＥ−Ａリリース１０はキャリアアグリゲーション（Carrier Aggregation）を用いる。キャリアアグリゲーションでは、より広い伝送帯域幅、例えば最高で１００ＭＨｚの伝送帯域幅に対応するために、ＬＴＥリリース８で定義された２つ以上のコンポーネントキャリアが集約される。キャリアアグリゲーションについてのさらなる詳細は、非特許文献４（http://www.3gpp.org/で自由に入手可能）で得ることができ、その内容は本明細書に援用される。通例は、１つのコンポーネントキャリアは２０ＭＨｚの帯域幅を超えないと想定される。端末は、その能力によっては、１つまたは複数のコンポーネントキャリアを同時に受信および／または送信する場合がある。ＵＥは、アップリンクとダウンリンクとで異なる数のコンポーネントキャリア（ＣＣ）を集約するように構成することができる。設定可能なダウンリンクＣＣの数は、ＵＥのダウンリンクの集約能力に応じて決まる。設定可能なアップリンクＣＣの数は、ＵＥのアップリンクの集約能力に応じて決まる。ただし、ダウンリンクＣＣよりもアップリンクＣＣが多くなるようにＵＥを構成することはできない。
【００１８】
用語「コンポーネントキャリア」は、用語「セル」と同義である場合もある。これは、ＬＴＥおよびＵＭＴＳの過去のリリースで知られるセルの概念と同様に、コンポーネントキャリアは、データの送信／受信のためのリソースを定義し、ワイヤレスノード（例えばＵＥ、ＲＮ）に利用されるリソースに追加、再設定、または削除することができるためである。具体的には、セルは、ダウンリンクリソースと場合によってはアップリンクリソース、すなわちダウンリンクのコンポーネントキャリアと場合によってはアップリンクのコンポーネントキャリアとの組み合わせである。Ｒｅｌ−８／９では、ダウンリンクリソースの１つのキャリア周波数とアップリンクリソースの１つのキャリア周波数がある。ダウンリンクリソースのキャリア周波数は、セル選択手順を通じてＵＥに検出される。アップリンクリソースのキャリア周波数は、ＳＩＢ２（System Information Block 2）を通じてＵＥに通知される。キャリアアグリゲーションが設定される場合、ダウンリンクリソースの２つ以上のキャリア周波数と、可能性としてはアップリンクリソースの２つ以上のキャリア周波数がある。したがって、ダウンリンクリソースと場合によってはアップリンクリソースの２つ以上の組み合わせ、すなわち２つ以上のサービングセルがあることになる。主要なサービングセルはＰＣｅｌｌ（Primary Cell）と呼ばれる。他のサービングセルはＳＣｅｌｌ（Secondary Cell(s)）と呼ばれる。
【００１９】
キャリアアグリゲーションが設定される場合、ＵＥは、ネットワークとの無線リソース制御（ＲＲＣ：Radio Resource Control）接続を１つのみ有する。ＰＣｅｌｌは、ＲＲＣ接続の再確立またはハンドオーバー時に非アクセス層（ＮＡＳ：Non-Access Stratum）モビリティ情報およびセキュリティ入力を提供する。ＵＥの能力に応じて、ＳＣｅｌｌは、ＰＣｅｌｌと共にサービングセルの組を形成するように構成することができる。ＲＲＣ接続は、ＵＥ側のＲＲＣ層とネットワーク側のＲＲＣ層との間の接続である。ＵＥとＥ−ＵＴＲＡＮ間のＲＲＣ接続の確立、維持、および開放は、ＵＥとＥ−ＵＴＲＡＮ間の一時識別子の割当、ＲＲＣ接続のためのシグナリング無線ベアラ（ＳＲＢ：Signaling Radio Bearer(s)）、すなわち低優先度のＳＲＢおよび高優先度のＳＲＢの設定、を含む。ＲＲＣに関するさらなる詳細は、非特許文献５（http://www.3gpp.org/で自由に入手可能）で得ることができ、その内容は本明細書に援用される。
【００２０】
ダウンリンクでは、ＰＣｅｌｌに対応するキャリアはＤＬ ＰＣＣ（Downlink Primary Component Carrier）と呼ばれ、一方、アップリンクでは、ＰＣｅｌｌに対応するキャリアはＵＬ ＰＣＣ（Uplink Primary Component Carrier）と呼ばれる。ＤＬ ＰＣＣとＵＬ ＰＣＣとの関連付けは、ＰＣｅｌｌからのシステム情報（ＳＩＢ２）で通知される。システム情報は、各セルからブロードキャストされる共通の制御情報であり、例えば端末へのセルについての情報を含む。ＰＣｅｌｌのシステム情報の受信に関しては、Ｒｅｌ−８／９のＬＴＥの手順が適用される。Ｒｅｌ−８／９のシステム情報受信手順の詳細は、非特許文献６（http://www.3gpp.orgで自由に入手可能）で得ることができ、その内容は本明細書に援用される。ダウンリンクでは、ＳＣｅｌｌに対応するキャリアはＤＬ ＳＣＣ（Downlink Secondary Component Carrier）であり、一方、アップリンクではＵＬ ＳＣＣ（Uplink Secondary Component Carrier）である。ＤＬ ＳＣＣとＵＬ ＳＣＣとの関連付けは、ＳＣｅｌｌのシステム情報（ＳＩＢ２）で通知される。ＳＣｅｌｌのすべての必要なシステム情報は、ＳＣｅｌｌを追加する際に個別のＲＲＣシグナリングを通じてＵＥに送信される。したがって、ＵＥが直接ＳＣｅｌｌからシステム情報を取得する必要はない。ＳＣｅｌｌのシステム情報は、そのＳＣｅｌｌが設定されている限り有効であり続ける。ＳＣｅｌｌのシステム情報の変化は、ＳＣｅｌｌの除去および追加を通じて処理される。ＳＣｅｌｌの除去および／または追加は、ＲＲＣ手順を使用して行うことができる。
【００２１】
ダウンリンク・グラントとアップリンク・グラントはいずれもＤＬ ＣＣで受信される。したがって、あるＤＬ ＣＣで受信されたアップリンク・グラントが、どのＵＬ ＣＣのアップリンク送信に対応するのかを知るために、ＤＬ ＣＣとＵＬ ＣＣとの関連付けが必要となる。
【００２２】
ＵＬ ＣＣとＤＬ ＣＣとの関連付けにより、当該グラントが適用されるサービングセルを特定することが可能となる。
−ＰＣｅｌｌで受信されるダウンリンク割当（downlink assignment）は、そのＰＣｅｌｌ内のダウンリンク送信に対応する。
−ＰＣｅｌｌで受信されるアップリンク・グラントは、そのＰＣｅｌｌ内のアップリンクの送信に対応する。
−ＳＣｅｌｌＮで受信されるダウンリンク割当は、ＳＣｅｌｌＮ内のダウンリンクの送信に対応する。
−ＳＣｅｌｌＮで受信されるアップリンク・グラントは、ＳＣｅｌｌＮ内のアップリンク送信に対応する。ＳＣｅｌｌＮがＵＥによるアップリンクの使用のために構成されていない場合は、グラントはＵＥに無視される。
【００２３】
非特許文献７のSection 5.3.3.1において、ＣＩＦ（Carrier Indication Field）を使用したクロスキャリアスケジューリング（cross-carrier scheduling。キャリア間スケジューリング）の可能性についても記載している。
【００２４】
ＵＥは、同時に複数個のサービングセルにまたがってスケジュールすることができる。ＣＩＦを用いたクロスキャリアスケジューリングにより、あるサービングセルのＰＤＣＣＨが別のサービングセルのリソースをスケジュールすることが可能になる。ただし、以下のような制約がある。
−クロスキャリアスケジューリングはＰＣｅｌｌには適用されない。つまりＰＣｅｌｌは常に自身のＰＤＣＣＨを介してスケジューリングされる。
−ＳＣｅｌｌのＰＤＣＣＨが設定される場合、クロスキャリアスケジューリングはそのＳＣｅｌｌには適用されない。すなわち、ＳＣｅｌｌは常に自身のＰＤＣＣＨを介してスケジューリングされる。
−ＳＣｅｌｌのＰＤＣＣＨが設定されない場合は、クロスキャリアスケジューリングが適用され、そのＳＣｅｌｌは常に別のサービングセルのＰＤＣＣＨを介してスケジューリングされる。
【００２５】
したがって、ＣＩＦがない場合は、ＤＬ ＣＣとＵＬ ＣＣとの関連付けによりアップリンク送信のためのＵＬ ＣＣが特定され、ＣＩＦがある場合は、ＣＩＦ値によりアップリンク送信のためのＵＬ ＣＣが特定される。
【００２６】
モニタ対象のＰＤＣＣＨ候補の組（「モニタリング」は各ＰＤＣＣＨの復号を試みることを意味する）が「サーチスペース」として定義される。ＣＩＦが設定されていないＵＥは、動作状態にある各サービングセルにおいて各アグリゲーションレベル（aggregation level）１、２、４、８で１つのＵＥ固有のサーチスペースをモニタする。ＣＩＦが設定されたＵＥは、１つまたは複数の動作状態にあるサービングセルにおいて各アグリゲーションレベル１、２、４、８で１つまたは複数のＵＥ固有のサーチスペースをモニタする。ＵＥにＣＩＦが設定される場合、ＵＥ固有のサーチスペースはコンポーネントキャリアによって決定される。これは、サーチスペースのＰＤＣＣＨ候補に対応するＣＣＥのインデックスがＣＩＦの値によって決まることを意味する。ＣＩＦは、コンポーネントキャリアのインデックスを指定する。
【００２７】
ＵＥが、ＣＩＦを用いて所定のＤＣＩフォーマットサイズの所定のサービングセル内のＰＤＣＣＨ候補をモニタするように設定された場合、ＵＥは、その所定のＤＣＩフォーマットサイズに取りうるＣＩＦのいずれかの値に対応するＵＥ固有のサーチスペースで、その所定のＤＣＩフォーマットサイズを有するＰＤＣＣＨ候補がその所定のサービングセルで送信される可能性があると想定する。すなわち、ある所定のＤＣＩフォーマットサイズが２つ以上のＣＩＦ値を有することができる場合、ＵＥは、その所定のＤＣＩフォーマットの取りうるＣＩＦ値にそれぞれ対応する、ＵＥ固有のサーチスペース内のＰＤＣＣＨ候補をモニタすることになる。
【００２８】
ＬＴＥ−ＡでＰＤＣＣＨについて定義される、ＣＩＦを使用した、または使用しないサーチスペースの構成についてのさらなる詳細は、非特許文献８（http://www.3gpp.org/で自由に入手可能）で得ることができ、その内容は本明細書に援用される。
【００２９】
ＬＴＥ−Ａの別の主要な機能は、３ＧＰＰ ＬＴＥ−ＡのＵＴＲＡＮアーキテクチャに中継ノードに導入することにより中継機能を提供することである。中継は、ＬＴＥ−Ａでは、高いデータレートの利用可能範囲、グループのモビリティ、一時的なネットワーク配備、セルエッジのスループットを向上させ、かつ／または、新しい地域に受信可能範囲を提供するための手段と考えられる。
【００３０】
中継ノードは、ドナー（donor）セルを介して無線アクセスネットワークにワイヤレスに接続される。中継の手法に応じて、中継ノードは、ドナー・セルの一部としても、あるいは独自にセルを制御してもよい。中継ノードがドナー・セルの一部である場合、中継ノードは独自のセルＩＤ（cell identity）は持たないが、中継ＩＤは持つことができる。中継ノードが独自にセルを制御する場合は、１つまたは数個のセルを制御し、その中継ノードに制御される各セル内で一意の物理レイヤセルＩＤが提供される。少なくとも、「タイプ１」の中継ノードは３ＧＰＰ ＬＴＥ−Ａの一部となる。「タイプ１」の中継ノードは、以下の特徴を持つ中継ノードである。
−中継ノードは、ユーザ機器に対してそれぞれドナー・セルとは異なる別のセルに見えるセルを制御する。
−それらのセルはＬＴＥリリース８で定義される独自の物理セルＩＤを持ち、中継ノードは、自身の同期チャネル、参照シンボル等を送信する。
−単一セル動作に関して、ＵＥは、スケジューリング情報およびＨＡＲＱフィードバックを中継ノードから直接受信し、自身の制御情報（ＡＣＫ（Acknowledgments）、チャネル品質通知（ＣＱＩ：Channel Quality Indications）、スケジューリング要求）を中継ノードに送信する。
−中継ノードは、後方互換性をサポートするために、３ＧＰＰ ＬＴＥ準拠のユーザ機器に対しては３ＧＰＰ ＬＴＥ準拠のｅＮｏｄｅＢとして見えなければならない。
−中継ノードは、３ＧＰＰ ＬＴＥ−Ａ準拠のユーザ機器に対してさらなる性能の拡張を可能にするために、３ＧＰＰ ＬＴＥのｅＮｏｄｅＢに対して異なる形で見えなければならない。
【００３１】
図４は、中継ノードを使用した３ＧＰＰ ＬＴＥ−Ａネットワーク構造の例を示す。ドナーｅＮｏｄｅＢ（ｄ−ｅＮＢ）４１０は、ユーザ機器ＵＥ１ ４１５および中継ノード（ＲＮ）４２０に直接サービスし、中継ノード（ＲＮ）４２０はさらにＵＥ２ ４２５にサービスする。ドナーｅＮｏｄｅＢ４１０と中継ノード４２０との間のリンクは、通例、中継バックホール・アップリンク／ダウンリンクと呼ばれる。中継ノード４２０と、その中継ノードに接続されたユーザ機器４２５（ｒ−ＵＥとも称する）との間のリンクは（中継）アクセス・リンクと呼ばれる。
【００３２】
ドナーｅＮｏｄｅＢは、Ｌ１／Ｌ２制御およびデータをマイクロユーザ機器ＵＥ１ ４１５と、中継ノード４２０にも送信し、中継ノード４２０はさらにそのＬ１／Ｌ２制御およびデータを中継ユーザ機器ＵＥ２ ４２５に送信する。中継ノードは、送信動作と受信動作を同時に行うことはできない時間多重化モードで動作することができる。具体的には、ｅＮｏｄｅＢ４１０から中継ノード４２０へのリンクが中継ノード４２０からＵＥ２ ４２５へのリンクと同じ周波数スペクトルで動作する場合、中継送信機が自身の受信機に対する干渉を引き起こす。このため、同じ周波数リソースでＮｏｄｅＢから中継ノードへの送信と中継ノードからＵＥへの送信を同時に行うことは、受信信号と送信信号との充分な分離がもたらされなければ可能でない場合がある。したがって、中継ノード４２０がドナーｅＮｏｄｅＢ４１０に送信を行う際には、その中継ノードに接続されたＵＥ４２５からの受信を同時に行うことはできない。同様に、中継ノード４２０がドナーｅＮｏｄｅＢからデータを受信する際には、その中継ノードに接続されたＵＥ４２５にデータを送信することはできない。したがって、中継バックホール・リンクと中継アクセス・リンクの間にはサブフレームの区分けがある。
【００３３】
中継ノードのサポートに関して、３ＧＰＰでは現在以下の合意がなされている。
−ｅＮｏｄｅＢから中継ノードへのダウンリンクの中継バックホール送信が設定される中継バックホール・ダウンリンクサブフレームは、準静的に割り当てられる。
−中継ノードからｅＮｏｄｅＢへのアップリンクのバックホール送信が設定される中継バックホール・アップリンク・サブフレームは、半静的に割り当てられるか、または中継バックホール・ダウンリンクサブフレームからのＨＡＲＱタイミングにより暗黙的に導出される。
−中継バックホール・ダウンリンクサブフレームでは、中継ノードはドナーｅＮｏｄｅＢに送信を行う。したがってｒ−ＵＥは、中継ノードからデータを受信することは想定しないものとされる。自身が中継ノードに接続されていることを認識しないＵＥ（中継ノードが標準的なｅＮｏｄｅＢとして見えるリリース８のＵＥなど）に対する後方互換性をサポートするために、中継ノードは、バックホール・ダウンリンクサブフレームをＭＢＳＦＮサブフレームとして設定する。
【００３４】
別の重要な特徴は、ＦＤＤ（周波数分割複信）ＨＡＲＱ−ＡＣＫ手順である。ＦＤＤの場合、ユーザ機器は、自身を対象とするＰＤＳＣＨをサブフレームｎ−４において検出し、ＨＡＲＱ−ＡＣＫを提供する場合、サブフレームｎにおいてＨＡＲＱ−ＡＣＫ応答を送信する。送信されるＨＡＲＱ−ＡＣＫビットの数は、構成されているサービングセルの数と、構成されている各セルのダウンリンク送信モードに依存する。サービングセルのダウンリンク送信モードが最大で２つのトランスポートブロックをサポートする場合、ユーザ機器は２つのＨＡＲＱ−ＡＣＫビットを使用し、そうでない場合には１つのＨＡＲＱ−ＡＣＫビットを使用する。
【００３５】
ＦＤＤの場合、ユーザ機器は最大で２つのサービングセルをサポートし、２つ以上のサービングセルによって構成されているとき、チャネル選択を有するＰＵＣＣＨフォーマット１ｂを使用してＨＡＲＱ−ＡＣＫを送信する。
【００３６】
ＦＤＤの場合、３つ以上のサービングセルをサポートするユーザ機器は、２つ以上のサービングセルによって構成されているとき、ＰＵＣＣＨフォーマット３のためのチャネル選択を有するＰＵＣＣＨフォーマット１ｂを使用してＨＡＲＱ−ＡＣＫを送信する。
【００３７】
ＦＤＤおよび１つの構成されたセルの場合、ユーザ機器は、ＰＵＣＣＨフォーマット１ａ／１ｂを使用してＨＡＲＱ−ＡＣＫを送信する。構成されたサービングセルのダウンリンク送信モードが最大で２つのトランスポートブロックをサポートする場合、ＰＵＣＣＨフォーマット１ｂが使用され、そうでない場合にはＰＵＣＣＨフォーマット１ａが使用される。
【００３８】
ＰＵＣＣＨリソースは、対応するＰＤＣＣＨの最初のＣＣＥインデックスによって、または上位層の設定によって決まる。対応するＰＤＣＣＨによってＰＤＳＣＨ送信が検出される場合、ＰＵＣＣＨリソースは、対応するＰＤＣＣＨの最初のＣＣＥインデックスによって決まり、そうでない場合、ＰＵＣＣＨリソースは上位層の設定によって決まる。
【００３９】
ＦＤＤの場合において、２つ以上のサービングセルによってユーザ機器が構成されている場合、ＨＡＲＱ−ＡＣＫは、チャネル選択を有するＰＵＣＣＨフォーマット１ｂを使用して、またはＰＵＣＣＨフォーマット３を使用して送信される。詳しい情報は、３ＧＰＰの非特許文献９に記載されている（３ＧＰＰのウェブサイトにおいて入手可能であり、参照によって本明細書に組み込まれている）。
【００４０】
構成された各サービングセルのダウンリンク送信モードに応じて、Ａ（Ａ＝２，３，４）個のＨＡＲＱ−ＡＣＫビットを送信する必要がある。ユーザ機器は、Ａ個のＰＵＣＣＨリソースから選択される１つのＰＵＣＣＨリソースで、ｂ（０）ｂ（１）を有するＰＵＣＣＨフォーマット１ｂを使用してＨＡＲＱ−ＡＣＫビットを送信する。Ａ個のＰＵＣＣＨリソースは、対応するＰＤＣＣＨの最初のＣＣＥインデックスから導かれる、または上位層の設定から決まる。詳細なマッピングテーブルは、非特許文献９に定義されている（３ＧＰＰのウェブサイトにおいて入手可能であり、参照によって本明細書に組み込まれている）。
【００４１】
ＦＤＤの場合、ユーザ機器がＰＵＣＣＨフォーマット３によって構成される場合、ユーザ機器は、以下の規則に従って１つのＰＵＣＣＨリソースでＨＡＲＱ−ＡＣＫを送信する。
・  ＰＤＳＣＨ送信が一次セル上で検出されるのみである場合、ユーザ機器は、ＰＵＣＣＨフォーマット１ａ／１ｂを使用して１つのＰＵＣＣＨリソースでＨＡＲＱ−ＡＣＫを送信する。ＰＵＣＣＨリソースは、対応するＰＤＣＣＨの最初のＣＣＥインデックスから、または上位層の設定から導かれる。
・  ＰＤＳＣＨ送信が二次セル上で検出される場合、ＰＵＣＣＨフォーマット３を使用して１つのＰＵＣＣＨリソースでＨＡＲＱ−ＡＣＫを送信する。上位層によって設定されるＰＵＣＣＨリソースから選択されるＰＵＣＣＨリソースは、対応するＰＤＣＣＨのＤＣＩフォーマット内のＴＰＣフィールドを使用して決定される。
【００４２】
ＦＤＤの場合、ＰＵＣＣＨフォーマット３において、構成された異なるサービングセルからのＨＡＲＱ−ＡＣＫビットが連結される。
【００４３】
別の重要な特徴は、エンハンストＰＤＣＣＨ（Ｅ−ＰＤＣＣＨ）であり、これはユーザ機器に固有な基準信号に基づいて送信される。ユーザ機器に固有な基準信号を効率的に使用する目的で、エンハンストＰＤＣＣＨのマッピングがＰＤＳＣＨ領域に割り当てられることが好ましい。帯域幅全体にわたりブラインド復号化が行われないようにする目的で、Ｅ−ＰＤＣＣＨのサーチスペースが一連のＰＲＢ内に制限されるものと想定する。一連のＰＲＢは、最初に上位層シグナリングによって設定される。
【００４４】
しかしながら、特定のシナリオにおいては、例えば、隣接するセルからの干渉が１０ｍｓのタイムスケールで変化する場合、Ｅ−ＰＤＣＣＨのサーチスペースの再構成を高速で行う必要がある。Ｅ−ＰＤＣＣＨはＰＤＳＣＨ領域において送信されるため、干渉は、主として隣接セルにおけるＰＤＳＣＨ送信から発生する。隣接するセルへの、より安定的な干渉パターンを導入する目的で、隣接セルのＰＭＩ（ビーム）が１０ｍｓのオーダーで変化するものと想定する。この場合、Ｅ−ＰＤＣＣＨへの閃光干渉（flash light interference）（すなわちＥ−ＰＤＣＣＨへのＰＤＳＣＨ送信のビームからの干渉）は、Ｅ−ＰＤＣＣＨのサーチスペースの再構成を１０ｍｓのオーダーで高速に行うことによって、回避することができる。図５は、隣接セルからの閃光干渉を示している。
【００４５】
別の例は、周波数変動が大きく発生するシナリオであり、例えば、ピコセルの低干渉サブフレームにおいて、Ｅ−ＰＤＣＣＨのサーチスペースを高速で再構成することにより、Ｅ−ＰＤＣＣＨのサーチスペースを最良のＰＲＢに割り当てることによって、良好な周波数スケジューリング利得を達成することができる。
【００４６】
したがって、上のシナリオから明らかであるように、Ｅ−ＰＤＣＣＨのサーチスペースを１０ｍｓのオーダーで高速に再構成することは必須条件である。
【００４７】
単純な解決策は、Ｅ−ＰＤＣＣＨのサーチスペースを上位層シグナリングによって再構成することである。しかしながら、この解決策の欠点として、上位層シグナリングは遅すぎる。上位層シグナリングの遅延は１００ｍｓのオーダーであるのに対して、Ｅ−ＰＤＣＣＨのサーチスペースは１０ｍｓのオーダーで高速に再構成する必要がある。さらに、上位層シグナリングは大きなオーバーヘッドを有する。再構成は頻繁に行われるため、上位層シグナリングを使用すると多くのリソースが消費される。
【先行技術文献】
【非特許文献】
【００４８】
【非特許文献１】3GPP TR 25.913, “Requirements for evolved UTRA (E-UTRA) and evolved UTRAN (E-UTRAN),” v8.0.0, January 2009
【非特許文献２】3GPP TS 36.211, “Evolved universal terrestrial radio access (E-UTRA); physical channels and modulations (Release 8)”, version 8.9.0, December 2009, Section 6.2
【非特許文献３】3GPP TS 36.213 “Evolved Universal terrestrial Radio Access (E-UTRA); Physical layer procedures”, v8.8.0, September 2009, Section 7.1.6.1
【非特許文献４】3GPP TS 36.300 “Evolved Universal terrestrial Radio Access (E-UTRA) and Universal terrestrial Radio Access Network (E-UTRAN); Overall description”, v10.2.0, December 2010, Section 5.5 (Physical layer), Section 6.4 (Layer 2) and Section 7.5 (RRC)
【非特許文献５】3GPP TS 36.331 “Evolved Universal terrestrial Radio Access (E-UTRA); Radio Resource Control (RRC); Protocol specification”, v10.0.0, December 2010
【非特許文献６】3GPP TS 36.331 “Evolved Universal terrestrial Radio Access (E-UTRA); Radio Resource Control (RRC); Protocol specification”, v9.5.0, December 2010, Section 5.2
【非特許文献７】3GPP TS 36.212 v10.0.0, Section 5.3.3.1
【非特許文献８】3GPP TS 36.213 “Evolved Universal terrestrial Radio Access (E-UTRA); Physical Layer procedures”, v10.0.0, December 2010, Section 9.1.1
【非特許文献９】3GPP TS 36.213, “Evolved Universal Terrestrial Radio Access (E-UTRA); Physical layer procedures (Release 10)”
【発明の概要】
【発明が解決しようとする課題】
【００４９】
上記に鑑み、本発明の目的は、隣接セルからの閃光干渉を回避し、周波数変動が大きく発生するシナリオにおいて、Ｅ−ＰＤＣＣＨを最良のＰＲＢに割り当てることができるように、Ｅ−ＰＤＣＣＨのサーチスペースを高速に再構成する方法を提供することである。
【課題を解決するための手段】
【００５０】
この目的は、独立請求項の特徴により達成される。
【００５１】
本発明の有利な実施形態は従属請求項に準拠する。
【００５２】
本発明の具体的な方法は、ＰＤＣＣＨに基づくＥ−ＰＤＣＣＨの再構成に対するＨＡＲＱ−ＡＣＫと、ＰＤＳＣＨに対するＨＡＲＱ−ＡＣＫの両方を同じアップリンクサブフレームで送信することをサポートすることであり、したがって、ＰＤＣＣＨに基づくＥ−ＰＤＣＣＨの再構成およびＰＤＳＣＨを同じサブフレームで送信することができる。
【００５３】
ユーザ機器に対してＥ−ＰＤＣＣＨが構成されている場合、以下の方式に従う。そうでない場合、仕様におけるリリース１０の手順に従う。したがって、本方法はリリース１０に後方互換である。
【００５４】
１つのサービングセルにおいて同じアップリンクサブフレーム上で、ＰＤＣＣＨに基づくＥ−ＰＤＣＣＨの再構成に対するＨＡＲＱ−ＡＣＫと、ＰＤＳＣＨに対するＨＡＲＱ−ＡＣＫとの間に衝突が存在しない場合、ＰＤＣＣＨに基づくＥ−ＰＤＣＣＨの再構成に対するＨＡＲＱ−ＡＣＫは、ＰＤＣＣＨに基づくＳＰＳ無効化（deactivation）に対するＨＡＲＱ−ＡＣＫと同様に扱われる。
【００５５】
１つのサービングセルにおいて同じアップリンクサブフレーム上で、ＰＤＣＣＨに基づくＥ−ＰＤＣＣＨの再構成に対するＨＡＲＱ−ＡＣＫと、ＰＤＳＣＨに対するＨＡＲＱ−ＡＣＫとの間に衝突が存在する場合、次の手順に従う。
・  ユーザ機器に対して１つのみのサービングセルが構成されている場合、ＰＤＣＣＨに基づくＥ−ＰＤＣＣＨの再構成に対するＨＡＲＱ−ＡＣＫは、ＳＲ（サービス要求）に類似する方式を使用して送信することができる。ＰＤＣＣＨに基づくＥ−ＰＤＣＣＨの再構成に対するＨＡＲＱ−ＡＣＫと、ＰＤＳＣＨに対するＨＡＲＱ−ＡＣＫと同じアップリンクサブフレームでＳＲも送信する必要がある場合、ＳＲは、ＰＤＣＣＨに基づくＥ−ＰＤＣＣＨの再構成に対するＨＡＲＱ−ＡＣＫよりも高い優先順位を有する。
・  ユーザ機器に対して２つのサービングセルが構成されている場合、ＰＤＣＣＨに基づくＥ−ＰＤＣＣＨの再構成に対するＨＡＲＱ−ＡＣＫと、ＰＤＳＣＨに対するＨＡＲＱ−ＡＣＫとを送信するためにチャネル選択が使用される。構成されている各サービングセルにおいて同じサブフレームで両方のＨＡＲＱ−ＡＣＫを送信することをサポートする目的で、新規のマッピングテーブルが設計される。このマッピングテーブルは以下のように設計されている。
○  Ｅ−ＰＤＣＣＨ再構成のためのＰＤＣＣＨが誤検出される場合、ユーザ機器側における解釈は、ＰＤＣＣＨに基づくＥ−ＰＤＣＣＨ再構成なしの場合における、リリース１０と同じである。したがって、この手順はリリース１０に後方互換であり、したがって、Ｅ−ＰＤＣＣＨを構成する手順において誤解釈は存在しない。
○  キャリアアグリゲーションの場合は、非キャリアアグリゲーションの場合に後方互換であり、したがって、サービングセルを再構成する手順において誤解釈は存在しない。
【００５６】
例示的な実施形態は、一次セルを含む少なくとも１つのサービングセルによって構成されている受信装置によって、エンハンスト物理ダウンリンク制御チャネルのサーチスペースの再構成試行に関するフィードバックと、送信装置への少なくとも１回のダウンリンク送信に関するフィードバックとを同時に提供する方法を提供する。
【００５７】
本方法においては、受信装置は、送信装置から少なくとも１つのサービングセルを介して少なくとも１つのダウンリンク送信を受信し、送信装置から、少なくとも１つのサービングセルにおけるサーチスペースの再構成のための再構成情報を受信する。次に、受信装置は、少なくとも１つのダウンリンク送信について、それぞれのダウンリンク送信を正常に復号化できたかを判定し、受信された再構成情報を正常に復号化できたかを判定する。
【００５８】
さらに、受信装置は、少なくとも１つのダウンリンク送信の復号化の成功／失敗に基づいて決まるＡＣＫ／ＮＡＣＫ／ＤＴＸと、再構成情報の復号化の成功／失敗に基づいて決まるＡＣＫ／ＤＴＸとを含むフィードバックタプル（feedback tuple）を生成し、このフィードバックタプルを、
・  一次セルを介してフィードバックタプルを送信するのに利用可能な複数のアップリンクリソースのうちの選択される１つ、および、
・  選択されたアップリンクリソースで送信される変調方式の複数の変調シンボルのうちの選択される１つ、
の組合せとして送信する。
【００５９】
上記に加えて、または上記に代えて使用することのできる、本発明の有利な実施形態によると、フィードバックタプルは、選択されたアップリンクリソースを介して、ＰＵＣＣＨフォーマット１ｂまたはＰＵＣＣＨフォーマット３において、選択される変調シンボルを使用して送信される。
【００６０】
0005814471.tif 000002
【００６１】
上記に加えて、または上記に代えて使用することのできる、本発明の有利な実施形態によると、受信されるダウンリンクＰＤＳＣＨ送信に対応するアップリンクＰＵＣＣＨリソースの数が１つ（Ａ＝｛１｝）である場合、一次セルを介しての少なくとも１つのダウンリンク送信の受信は、第１のアップリンクＰＵＣＣＨリソースが対応する少なくとも１つのトランスポートブロックの受信を含んでいる。
【００６２】
上記に加えて、または上記に代えて使用することのできる、本発明の有利な実施形態によると、選択されるアップリンクＰＵＣＣＨリソースは、以下のうちの少なくとも１つである。
・  一次セルを介しての少なくとも１つのトランスポートブロックの受信に対応する第１のＰＵＣＣＨリソース（ＰＵＣＣＨリソース０として定義される）
・  一次セルを介して受信されるＥ−ＰＤＣＣＨ再構成情報のためのＰＤＣＣＨに対応する第２のＰＵＣＣＨリソース（ＰＵＣＣＨリソース１として定義される）。第２のＰＵＣＣＨリソースは、Ｅ−ＰＤＣＣＨ再構成情報のためのＰＤＣＣＨの第１の制御チャネル要素（ＣＣＥ）から導かれる。
【００６３】
上記に加えて、または上記に代えて使用することのできる、本発明の有利な実施形態によると、一次サービングセルを介しての１つのダウンリンク送信の受信が、第１のトランスポートブロックの受信を含んでいる場合、フィードバックタプルの第１の位置（ＨＡＲＱ−ＡＣＫ（０）として定義される）が、一次セルを介して受信された第１のトランスポートブロックの復号化の成功／失敗を示し、フィードバックタプルの第２の位置（ＨＡＲＱ−ＡＣＫ（１）として定義される）が、一次セルを介して受信された再構成情報の復号化の成功／失敗を示す。
【００６４】
上記に加えて、または上記に代えて使用することのできる、本発明の有利な実施形態によると、一次サービングセルを介しての１つのダウンリンク送信の受信が、第１のトランスポートブロックおよび第２のトランスポートブロックの受信を含んでいる場合、フィードバックタプルの第１の位置（ＨＡＲＱ−ＡＣＫ（０）として定義される）が、一次セルを介して受信された第１のトランスポートブロックの復号化の成功／失敗を示し、フィードバックタプルの第２の位置（ＨＡＲＱ−ＡＣＫ（１）として定義される）が、一次セルを介して受信された第２のトランスポートブロックの復号化の成功／失敗を示し、フィードバックタプルの第３の位置（ＨＡＲＱ−ＡＣＫ（２）として定義される）が、一次セルを介して受信された再構成情報の復号化の成功／失敗を示す。
【００６５】
上記に加えて、または上記に代えて使用することのできる、本発明の有利な実施形態によると、ＡＣＫ／ＮＡＣＫ／ＤＴＸの生成されるフィードバックタプル（ＨＡＲＱ−ＡＣＫ（０）、ＨＡＲＱ−ＡＣＫ（１）、またはＨＡＲＱ−ＡＣＫ（０）、ＨＡＲＱ−ＡＣＫ（１）、ＨＡＲＱ−ＡＣＫ（２）によって定義される）において、複数のアップリンクＰＵＣＣＨリソースのうちの１つの選択と、複数の変調シンボル（（０，０）または（０，１）または（１，０）または（１，１）によって定義される）のうちの１つの選択は、以下のようにしてフィードバックマッピング規則に基づく。
・  受信された再構成情報の復号化が成功した場合、ＡＣＫ／ＮＡＣＫ／ＤＴＸの生成されたフィードバックタプルの送信が第１のＰＵＣＣＨリソースで行われ、再構成情報の復号化が失敗した場合、ＡＣＫ／ＮＡＣＫ／ＤＴＸの生成されたフィードバックタプルの送信が第２のＰＵＣＣＨリソースで行われる。
【００６６】
上記に加えて、または上記に代えて使用することのできる、本発明の有利な実施形態によると、受信されるダウンリンクＰＤＳＣＨ送信に対応するアップリンクＰＵＣＣＨリソースの数が２つ（Ａ＝｛２｝）である場合、第１のサービングセルを介しての少なくとも１つのダウンリンク送信の受信は、第１のトランスポートブロックの受信を含んでおり、第２のサービングセルを介しての少なくとも１つのダウンリンク送信の受信は、第２のトランスポートブロックの受信を含んでいる。
【００６７】
上記に加えて、または上記に代えて使用することのできる、本発明の有利な実施形態によると、選択されるアップリンクＰＵＣＣＨリソースは、以下のうちの少なくとも１つである。
・  第１のサービングセルを介しての第１のトランスポートブロックの受信に対応する第１のＰＵＣＣＨリソース（ＰＵＣＣＨリソース０として定義される）
・  第１のサービングセルを介して受信されるＥ−ＰＤＣＣＨ再構成情報のためのＰＤＣＣＨに対応する第２のＰＵＣＣＨリソース（ＰＵＣＣＨリソース１として定義される）であって、この第２のＰＵＣＣＨリソースは、Ｅ−ＰＤＣＣＨ再構成情報のためのＰＤＣＣＨの第１の制御チャネル要素（ＣＣＥ）から導かれる。
・  第２のサービングセルを介しての第２のトランスポートブロックの受信に対応する第３のＰＵＣＣＨリソース（ＰＵＣＣＨリソース２として定義される）
・  第２のサービングセルを介して受信されるＥ−ＰＤＣＣＨ再構成情報のためのＰＤＣＣＨに対応する第４のＰＵＣＣＨリソース（ＰＵＣＣＨリソース３として定義される）であって、この第４のＰＵＣＣＨリソースは、上位層によって設定されるＰＵＣＣＨリソースからのＥ−ＰＤＣＣＨのためのＰＤＣＣＨの送信電力制御（ＴＰＣ）フィールドによって選択される。
【００６８】
上記に加えて、または上記に代えて使用することのできる、本発明の有利な実施形態によると、生成されるフィードバックタプルの第１の位置（ＨＡＲＱ−ＡＣＫ（０）として定義される）は、第１のサービングセルを介して受信される第１のトランスポートブロックの復号化の成功／失敗を示し、フィードバックタプルの第２の位置（ＨＡＲＱ−ＡＣＫ（１）として定義される）は、第１のサービングセルを介して受信される再構成情報の復号化の成功／失敗を示し、フィードバックタプルの第３の位置（ＨＡＲＱ−ＡＣＫ（２）として定義される）は、第２のサービングセルを介して受信される第２のトランスポートブロックの復号化の成功／失敗を示し、フィードバックタプルの第４の位置（ＨＡＲＱ−ＡＣＫ（３）として定義される）は、第２のサービングセルを介して受信される再構成情報の復号化の成功／失敗を示す。
【００６９】
上記に加えて、または上記に代えて使用することのできる、本発明の有利な実施形態によると、ＡＣＫ／ＮＡＣＫ／ＤＴＸの生成されるフィードバックタプル（ＨＡＲＱ−ＡＣＫ（０）、ＨＡＲＱ−ＡＣＫ（１）、ＨＡＲＱ−ＡＣＫ（２）、ＨＡＲＱ−ＡＣＫ（３）によって定義される）において、複数のアップリンクＰＵＣＣＨリソースのうちの１つの選択と、複数の変調シンボル（（０，０）または（０，１）または（１，０）または（１，１）によって定義される）のうちの１つの選択は、以下のようにフィードバックマッピング規則に基づき、すなわち、
受信された再構成情報の復号化が失敗した場合、ＡＣＫ／ＮＡＣＫ／ＤＴＸの生成されるフィードバックタプルは、第１のＰＵＣＣＨリソースまたは第３のＰＵＣＣＨリソースのいずれかを介して送信され、この場合、
・  第１のサービングセルを介した第１のトランスポートブロックが正常に復号化され、第２のサービングセルを介した第２のトランスポートブロックに対応するＰＤＣＣＨが正常に復号化されない、または第２のサービングセルを介した第２のトランスポートブロックが正常に復号化されない場合、第１のＰＵＣＣＨリソースを介して送信される変調方式として変調シンボル（１，１）が選択され、
・  第１のサービングセルを介した第１のトランスポートブロックが正常に復号化されず、第２のサービングセルを介した第２のトランスポートブロックに対応するＰＤＣＣＨが正常に復号化されない、または第２のサービングセルを介した第２のトランスポートブロックが正常に復号化されない場合、第１のＰＵＣＣＨリソースを介して送信される変調方式として変調シンボル（０，０）が選択され、
・  第１のサービングセルを介した第１のトランスポートブロックが正常に復号化され、第２のサービングセルを介した第２のトランスポートブロックも正常に復号化される場合、第３のＰＵＣＣＨリソースを介して送信される変調方式として変調シンボル（１，１）が選択され、
・  第１のサービングセルを介した第１のトランスポートブロックに対応するＰＤＣＣＨが正常に復号化されない、または第１のサービングセルを介した第１のトランスポートブロックが正常に復号化されず、第２のサービングセルを介した第２のトランスポートブロックが正常に復号化される場合、第３のＰＵＣＣＨリソースを介して送信される変調方式として変調シンボル（０，０）が選択される。
【００７０】
上記に加えて、または上記に代えて使用することのできる、本発明の有利な実施形態によると、第２のサービングセルを介して受信される第２のトランスポートブロックの復号化が失敗し、第２のサービングセルを介して受信される再構成情報が失敗である場合、ＡＣＫ／ＮＡＣＫ／ＤＴＸの生成されるフィードバックタプルは、第１のＰＵＣＣＨリソースまたは第２のＰＵＣＣＨリソースのいずれかを介して送信され、この場合、
・  第１のサービングセルを介した第１のトランスポートブロックが正常に復号化され、第２のサービングセルを介した再構成情報が正常に復号化されない場合、第１のＰＵＣＣＨリソースを介して送信される変調方式として変調シンボル（１，１）が選択され、
・  第１のサービングセルを介した第１のトランスポートブロックが正常に復号化されず、第２のサービングセルを介した再構成情報が正常に復号化されない場合、第１のＰＵＣＣＨリソースを介して送信される変調方式として変調シンボル（０，０）が選択され、
・  第１のサービングセルを介した第１のトランスポートブロックが正常に復号化され、第２のサービングセルを介した再構成情報も正常に復号化される場合、第２のＰＵＣＣＨリソースを介して送信される変調方式として変調シンボル（１，１）が選択され、
・  第１のサービングセルを介した第１のトランスポートブロックに対応するＰＤＣＣＨが正常に復号化されない、または第１のサービングセルを介した第１のトランスポートブロックが正常に復号化されず、第２のサービングセルを介した第２のトランスポートブロックが正常に復号化される場合、第２のＰＵＣＣＨリソースを介して送信される変調方式として変調シンボル（０，０）が選択される。
【００７１】
上記に加えて、または上記に代えて使用することのできる、本発明の有利な実施形態によると、第１のトランスポートブロックに対応するＰＤＣＣＨまたは第２のトランスポートブロックに対応するＰＤＣＣＨが正常に復号化されない場合、それぞれの第１または第３のＰＵＣＣＨリソースが、ＡＣＫ／ＮＡＣＫ／ＤＴＸの生成されるフィードバックタプルを送信するための選択から除外される、もしくは、第１または第２のサービングセルを介して受信される再構成情報の復号化が失敗する場合、第２のＰＵＣＣＨリソースまたは第４のＰＵＣＣＨリソースが、ＡＣＫ／ＮＡＣＫ／ＤＴＸの生成されるフィードバックタプルを送信するための選択から除外される、またはその両方である。
【００７２】
上記に加えて、または上記に代えて使用することのできる、本発明の有利な実施形態によると、フィードバックマッピング規則は、以下の説明の表２に相当する。
【００７３】
上記に加えて、または上記に代えて使用することのできる、本発明の有利な実施形態によると、受信されるダウンリンクＰＤＳＣＨ送信に対応するアップリンクＰＵＣＣＨリソースの数が３つ（Ａ＝｛３｝）である場合、第１のサービングセルを介しての少なくとも１つのダウンリンク送信の受信は、第１のトランスポートブロックおよび第２のトランスポートブロックの受信を含み、第２のサービングセルを介しての少なくとも１つのダウンリンク送信の受信は、第３のトランスポートブロックの受信を含む。
【００７４】
上記に加えて、または上記に代えて使用することのできる、本発明の有利な実施形態によると、選択されるアップリンクリソースは、
・  第１のサービングセルを介しての第１のトランスポートブロックの受信に対応する第１のＰＵＣＣＨリソース（ＰＵＣＣＨリソース０として定義される）、
・  第１のサービングセルを介しての第２のトランスポートブロックの受信に対応する第２のＰＵＣＣＨリソース（ＰＵＣＣＨリソース１として定義される）、
・  第２のサービングセルを介しての第３のトランスポートブロックの受信に対応する第３のＰＵＣＣＨリソース（ＰＵＣＣＨリソース２として定義される）、
・  第１のサービングセルを介して受信されるＥ−ＰＤＣＣＨ再構成情報のためのＰＤＣＣＨに対応する第４のＰＵＣＣＨリソース（ＰＵＣＣＨリソース１としても定義される）であって、Ｅ−ＰＤＣＣＨ再構成情報のためのＰＤＣＣＨの第１の制御チャネル要素（ＣＣＥ）から導かれる、第４のＰＵＣＣＨリソース、
・  第２のサービングセルを介して受信されるＥ−ＰＤＣＣＨ再構成情報のためのＰＤＣＣＨに対応する第５のＰＵＣＣＨリソース（ＰＵＣＣＨリソース３としても定義される）であって、上位層によって設定されるＰＵＣＣＨリソースからのＥ−ＰＤＣＣＨのためのＰＤＣＣＨの送信電力制御（ＴＰＣ）フィールドによって選択される、第５のＰＵＣＣＨリソース、
のうちの少なくとも１つである。
【００７５】
上記に加えて、または上記に代えて使用することのできる、本発明の有利な実施形態によると、
・  第１のサービングセルにおける第１のトランスポートブロックおよび第２のトランスポートブロックを示す、受信されるＰＤＣＣＨの復号化が成功し、第１のサービングセルを介して受信される再構成情報の復号化が失敗した場合、複数の利用可能なアップリンクリソースのうちの１つの選択が、第１のＰＵＣＣＨリソースと、第２のＰＵＣＣＨリソースと、第３および第５のＰＵＣＣＨリソースの少なくとも一方と、の間で行われ、フィードバックタプルの第２の位置（ＨＡＲＱ−ＡＣＫ（１）として定義される）が、第２のトランスポートブロックの復号化の成功／失敗を示す、または、
・  そうでない場合、複数の利用可能なアップリンクリソースのうちの１つの選択が、第１のＰＵＣＣＨリソースと、第３および第５のＰＵＣＣＨリソースのうちの少なくとも一方と、第４のＰＵＣＣＨリソースと、の間で行われ、フィードバックタプルの第２の位置（ＨＡＲＱ−ＡＣＫ（１）として定義される）が、第１のサービングセルを介して受信される再構成情報の復号化の成功／失敗を示す。
【００７６】
上記に加えて、または上記に代えて使用することのできる、本発明の有利な実施形態によると、フィードバックタプルの第１の位置（ＨＡＲＱ−ＡＣＫ（０）として定義される）は、第１のサービングセルを介して受信される第１のトランスポートブロックの復号化の成功／失敗を示し、フィードバックタプルの第３の位置（ＨＡＲＱ−ＡＣＫ（２）として定義される）は、第２のサービングセルを介して受信される第３のトランスポートブロックの復号化の成功／失敗を示し、フィードバックタプルの第４の位置（ＨＡＲＱ−ＡＣＫ（３）として定義される）は、第２のサービングセルを介して受信される再構成情報の復号化の成功／失敗を示す。
【００７７】
上記に加えて、または上記に代えて使用することのできる、本発明の有利な実施形態によると、ＡＣＫ／ＮＡＣＫ／ＤＴＸの生成されるフィードバックタプル（ＨＡＲＱ−ＡＣＫ（０）、ＨＡＲＱ−ＡＣＫ（１）、ＨＡＲＱ−ＡＣＫ（２）、ＨＡＲＱ−ＡＣＫ（３）によって定義される）において、複数のアップリンクＰＵＣＣＨリソースのうちの１つの選択と、複数の変調シンボル（（０，０）または（０，１）または（１，０）または（１，１）によって定義される）のうちの１つの選択は、以下の説明の表４に対応するフィードバックマッピング規則に基づく。
【００７８】
上記に加えて、または上記に代えて使用することのできる、本発明の有利な実施形態によると、受信されるダウンリンクＰＤＳＣＨ送信に対応するアップリンクＰＵＣＣＨリソースの数が４つ（Ａ＝｛４｝）である場合、第１のサービングセルを介しての少なくとも１つのダウンリンク送信の受信は、第１および第２のアップリンクＰＵＣＣＨリソースが対応する第１および第２のトランスポートブロックの受信を含み、第２のサービングセルを介しての少なくとも１つのダウンリンク送信の受信は、第３および第４のアップリンクＰＵＣＣＨリソースが対応する第３および第４のトランスポートブロックの受信を含む。
【００７９】
上記に加えて、または上記に代えて使用することのできる、本発明の有利な実施形態によると、選択されるアップリンクリソースは、以下のうちの少なくとも１つである。
・  第１のサービングセルを介しての第１のトランスポートブロックの受信に対応する第１のＰＵＣＣＨリソース（ＰＵＣＣＨリソース０として定義される）、
・  第１のサービングセルを介しての第２のトランスポートブロックの受信に対応する第２のＰＵＣＣＨリソース（ＰＵＣＣＨリソース１として定義される）、
・  第２のサービングセルを介しての第３のトランスポートブロックの受信に対応する第３のＰＵＣＣＨリソース（ＰＵＣＣＨリソース２として定義される）、
・  第２のサービングセルを介しての第４のトランスポートブロックの受信に対応する第４のＰＵＣＣＨリソース（ＰＵＣＣＨリソース３として定義される）、
・  第１のサービングセルを介して受信されるＥ−ＰＤＣＣＨ再構成情報のためのＰＤＣＣＨに対応する第５のＰＵＣＣＨリソース（ＰＵＣＣＨリソース１としても定義される）であって、第４のＰＵＣＣＨリソースは、Ｅ−ＰＤＣＣＨ再構成情報のためのＰＤＣＣＨの第１の制御チャネル要素（ＣＣＥ）から導かれる、
・  第２のサービングセルを介して受信されるＥ−ＰＤＣＣＨ再構成情報のためのＰＤＣＣＨに対応する第６のＰＵＣＣＨリソース（ＰＵＣＣＨリソース３としても定義される）であって、第５のＰＵＣＣＨリソースは、上位層によって設定されるＰＵＣＣＨリソースからのＥ−ＰＤＣＣＨのためのＰＤＣＣＨの送信電力制御（ＴＰＣ）フィールドによって選択される。
【００８０】
上記に加えて、または上記に代えて使用することのできる、本発明の有利な実施形態によると、
・  第１のサービングセルにおける第１および第２のトランスポートブロックを示す受信されたＰＤＣＣＨの復号化が成功し、第１のサービングセルを介して受信される再構成情報の復号化が失敗した場合、複数の利用可能なアップリンクリソースのうちの１つの選択が、第１のＰＵＣＣＨリソース、第２のＰＵＣＣＨリソース、第３のＰＵＣＣＨリソース、および第４または第６のＰＵＣＣＨリソースの間で行われ、フィードバックタプルの第２の位置（ＨＡＲＱ−ＡＣＫ（１）として定義される）は、第２のトランスポートブロックの復号化の成功／失敗を示す、または、
・  そうでない場合、複数の利用可能なアップリンクリソースのうちの１つの選択が、第１のアップリンクＰＵＣＣＨリソース、第３のＰＵＣＣＨリソース、第５のＰＵＣＣＨリソース、および第４または第６のＰＵＣＣＨリソースの間で行われ、フィードバックタプルの第２の位置（ＨＡＲＱ−ＡＣＫ（１）として定義される）は、第１のサービングセルを介して受信される再構成情報の復号化の成功／失敗を示し、
・  第２のサービングセルにおける第３および第４のトランスポートブロックを示す受信されたＰＤＣＣＨの復号化が成功し、第２のサービングセルを介して受信される再構成情報の復号化が失敗した場合、複数の利用可能なアップリンクリソースのうちの１つの選択が、第１のＰＵＣＣＨリソース、第２または第５のＰＵＣＣＨリソース、第３のＰＵＣＣＨリソース、および第４のＰＵＣＣＨリソースの間で行われ、フィードバックタプルの第４の位置（ＨＡＲＱ−ＡＣＫ（３）として定義される）は、第４のトランスポートブロックの復号化の成功／失敗を示す、または、
・  そうでない場合、複数の利用可能なアップリンクリソースのうちの１つの選択が、第１のアップリンクＰＵＣＣＨリソース、第２または第５のＰＵＣＣＨリソース、第３のＰＵＣＣＨリソース、および第６のＰＵＣＣＨリソースの間で行われ、フィードバックタプルの第４の位置（ＨＡＲＱ−ＡＣＫ（３）として定義される）は、第２のサービングセルを介して受信される再構成情報の復号化の成功／失敗を示す。
【００８１】
上記に加えて、または上記に代えて使用することのできる、本発明の有利な実施形態によると、フィードバックタプルの第１の位置（ＨＡＲＱ−ＡＣＫ（０）として定義される）は、第１のサービングセルを介して受信される第１のトランスポートブロックの復号化の成功／失敗を示し、フィードバックタプルの第３の位置（ＨＡＲＱ−ＡＣＫ（２）として定義される）は、第２のサービングセルを介して受信される第３のトランスポートブロックの復号化の成功／失敗を示す。
【００８２】
上記に加えて、または上記に代えて使用することのできる、本発明の有利な実施形態によると、複数のアップリンクＰＵＣＣＨリソースのうちの１つの選択と、ＡＣＫ／ＮＡＣＫ／ＤＴＸの生成されるフィードバックタプル（ＨＡＲＱ−ＡＣＫ（０）、ＨＡＲＱ−ＡＣＫ（１）、ＨＡＲＱ−ＡＣＫ（２）、ＨＡＲＱ−ＡＣＫ（３）によって定義される）における複数の変調シンボル（（０，０）または（０，１）または（１，０）または（１，１）によって定義される）のうちの１つの選択は、以下の説明の表４に対応するフィードバックマッピング規則に基づく。
【００８３】
本発明は、さらに、エンハンスト物理ダウンリンク制御チャネルのサーチスペースの再構成試行に関するフィードバックと、少なくとも１つのダウンリンク送信に関するフィードバックとを送信装置に同時に提供する受信装置を提供する。受信装置は、一次セルを含む少なくとも１つのサービングセルによって構成されており、受信器と、プロセッサと、送信器とを備えている。
【００８４】
受信装置の受信器は、送信装置から少なくとも１つのサービングセルを介して少なくとも１つのダウンリンク送信を受信するようにされており、少なくとも１つのサービングセルのサーチスペースの再構成のための再構成情報を送信装置から受信するようにされている。
【００８５】
受信装置のプロセッサは、少なくとも１つのダウンリンク送信について、それぞれのダウンリンク送信を正常に復号化できたかを判定するようにされており、さらに、受信された再構成情報を正常に復号化できたかを判定するようにされている。さらに、プロセッサは、少なくとも１つのダウンリンク送信の復号化の成功／失敗に基づいて判定されたＡＣＫ／ＮＡＣＫ／ＤＴＸと、再構成情報の復号化の成功／失敗に基づいて判定されたＡＣＫ／ＤＴＸとを含むフィードバックタプル、を生成するようにされている。
【００８６】
受信装置の送信器は、
・  一次セルを介してフィードバックタプルを送信するのに利用可能な複数のアップリンクリソースのうちの選択される１つと、
・  選択されたアップリンクリソースで送信される変調方式の複数の変調シンボルのうちの選択される１つと、
の組合せとして、フィードバックタプルを送信するようにされている。
【００８７】
上記に加えて、または上記に代えて使用することのできる、本発明の有利な実施形態によると、受信装置のプロセッサは、本明細書に記載されているさまざまな例示的な実施形態の１つに従って、エンハンスト物理ダウンリンク制御チャネルのサーチスペースの再構成試行に関するフィードバックと、少なくとも１つのダウンリンク送信に関するフィードバックとを同時に提供する方法を実行するようにされている。
【００８８】
本発明のさらなる実施形態は、命令を格納しているコンピュータ可読媒体であって、命令が受信装置のプロセッサによって実行されたとき、それに起因して、少なくとも１つのサービングセルによって構成されている受信装置が、送信装置から少なくとも１つのサービングセルを介して少なくとも１つのダウンリンク送信を受信するステップと、少なくとも１つのサービングセルにおけるサーチスペースの再構成のための再構成情報を送信装置から受信するステップと、少なくとも１つのダウンリンク送信について、それぞれのダウンリンク送信を正常に復号化できたかを判定し、さらに、受信された再構成情報を正常に復号化できたかを判定するステップと、少なくとも１つのダウンリンク送信の復号化の成功／失敗に基づいて決まるＡＣＫ／ＮＡＣＫ／ＤＴＸと、再構成情報の復号化の成功／失敗に基づいて決まるＡＣＫ／ＤＴＸとを含むフィードバックタプルを生成するステップと、フィードバックタプルを、
・  一次セルを介してフィードバックタプルを送信するのに利用可能な複数のアップリンクリソースのうちの選択される１つと、
・  選択されたアップリンクリソースで送信される変調方式の複数の変調シンボルのうちの選択される１つと、
の組合せとして送信するステップと、
によって、エンハンスト物理ダウンリンク制御チャネルのサーチスペースの再構成試行に関するフィードバックと、少なくとも１つのダウンリンク送信に関するフィードバックとを同時に送信装置に提供する、コンピュータ可読媒体、を提供する。
【００８９】
本発明の上記およびその他の目的および特徴は、添付図面との関連で与えられる以下の説明および好ましい実施形態からより明らかになろう。
【図面の簡単な説明】
【００９０】
【図１】３ＧＰＰ ＬＴＥリリース８に定義されたサブフレームの２つのダウンリンク・スロットのうち１つの例示的なダウンリンクのコンポーネントキャリアを示す概略図である。
【図２】３ＧＰＰ ＬＴＥリリース８および３ＧＰＰ ＬＴＥ−Ａリリース１０に定義された非ＭＢＳＦＮサブフレームおよび物理リソースブロックペアの構造を示す概略図である。
【図３】３ＧＰＰ ＬＴＥリリース８および３ＧＰＰ ＬＴＥ−Ａリリース１０に定義されたＭＢＳＦＮサブフレームおよび物理リソースブロックペアの構造を示す概略図である。
【図４】ドナーｅＮｏｄｅＢ、中継ノード、および２つのユーザ機器を含む例示的なネットワーク構成の概略図である。
【図５】隣接セルからの閃光干渉の概略図である。
【図６】ＰＤＣＣＨに基づくＥ−ＰＤＣＣＨ再構成手順の例を示している。
【図７】ＰＤＣＣＨに基づくＥ−ＰＤＣＣＨ再構成とＰＤＳＣＨの両方を同じサブフレーム上でサポートする場合の問題点を示している。
【図８】本発明の実施形態によるＡ＝２マッピングの例を示している。
【図９ａ】図８のＡ＝２マッピングとリリース１０のＡ＝２マッピングの比較を示している。
【図９ｂ】図８のＡ＝２マッピングとリリース１０のＡ＝２マッピングの比較を示している。
【図１０ａ】図８のＡ＝２マッピングと、Ｅ−ＰＤＣＣＨ再構成が行われるときの非ＣＡの場合の比較を示している。
【図１０ｂ】図８のＡ＝２マッピングと、Ｅ−ＰＤＣＣＨ再構成が行われるときの非ＣＡの場合の比較を示している。
【図１１】本発明の実施形態によるＡ＝３マッピングの例を示している。
【図１２ａ】図１１のＡ＝３マッピングとリリース１０のＡ＝３マッピングの比較を示している。
【図１２ｂ】図１１のＡ＝３マッピングとリリース１０のＡ＝３マッピングの比較を示している。
【図１３ａ】図１１のＡ＝３マッピングと、Ｅ−ＰＤＣＣＨ再構成が行われるときの非ＣＡの場合の比較を示している。
【図１３ｂ】図１１のＡ＝３マッピングと、Ｅ−ＰＤＣＣＨ再構成が行われるときの非ＣＡの場合の比較を示している。
【図１４ａ】リリース１０のＡ＝４マッピングを示している。
【図１４ｂ】リリース１０のＡ＝４マッピングを示している。
【図１５】本発明の実施形態による、１つのトランスポートブロックをサポートするＡ＝１マッピングの例を示している。
【図１６】本発明の実施形態による、最大で２つのトランスポートブロックをサポートするＡ＝１マッピングの例を示している。
【発明を実施するための形態】
【００９１】
本発明の目的は、隣接セルからの閃光干渉を回避し、周波数変動が大きく発生するシナリオにおいて、Ｅ−ＰＤＣＣＨを最良のＰＲＢ上に割り当てることができるように、Ｅ−ＰＤＣＣＨのサーチスペースの高速な再構成を達成することである。
【００９２】
一般的には、Ｅ−ＰＤＣＣＨのサーチスペースをＰＤＣＣＨによって再構成する場合、次の２つのオプションが存在する。
【００９３】
オプション１：  Ｅ−ＰＤＣＣＨの再構成が含まれるように、ダウンリンク割当のＤＣＩフォーマットを変更する。このオプションの欠点として、再構成を理由として多くのＰＤＣＣＨオーバーヘッドが発生する。
【００９４】
オプション２：  Ｅ−ＰＤＣＣＨの再構成のための新規のＤＣＩフォーマットを作成する、または、Ｅ−ＰＤＣＣＨの再構成のための対応するＰＤＣＣＨを受信するための別のＣ−ＲＮＴＩを使用する。このオプションではより多くのブラインド復号化が要求されるが、オプション１よりも効率が高い。
【００９５】
このアイディアでは、特定のユーザ機器に対して上位層シグナリングによってＥ−ＰＤＣＣＨが設定された後、ユーザ機器は、サブフレーム毎にＥ−ＰＤＣＣＨ再構成のための対応するＰＤＣＣＨのブラインド復号化を開始する。ユーザ機器がダウンリンクサブフレーム＃ｎにおいてＥ−ＰＤＣＣＨ再構成のための対応するＰＤＣＣＨを検出した場合、ユーザ機器はアップリンクサブフレーム＃（ｎ＋４）においてＡＣＫを送信する。対応するＰＤＣＣＨが検出されなかった場合、アップリンクサブフレーム＃（ｎ＋４）において何も送信しない。ＡＣＫを送信するための対応するＰＵＣＣＨリソースは、Ｅ−ＰＤＣＣＨ再構成のための対応するＰＤＣＣＨの最初のＣＣＥインデックスから決定される。
【００９６】
サブフレーム＃ｎにおいて、Ｅ−ＰＤＣＣＨ再構成のための対応するＰＤＣＣＨによって割り当てられるリソースは、サブフレーム＃（ｎ＋ｋ）から始まるＥ−ＰＤＣＣＨの新規のサーチスペースとして使用される。ｋは、Ｅ−ＰＤＣＣＨ再構成のための対応するＰＤＣＣＨのフィードバックを基地局装置（ｅＮＢ）が検出する時間と、基地局装置のスケジューリング時間とを考慮する。
【００９７】
図６は、手順の例を示している。この例においては、Ｅ−ＰＤＣＣＨ再構成のための対応するＰＤＣＣＨは、ダウンリンクサブフレーム＃２においてユーザ機器によって正常に受信される。ユーザ機器は、アップリンクサブフレーム＃６において対応するＰＵＣＣＨリソースでＡＣＫを送信する。ダウンリンクサブフレーム＃１０から開始して、新規のサーチスペースが、このユーザ機器がＥ−ＰＤＣＣＨをブラインド復号化する目的に使用される。この例においては、ｋ＝８である。
【００９８】
このアイディアの恩恵として、ＰＤＣＣＨに基づくＥ−ＰＤＣＣＨ再構成がずっと高速であり、すなわち１０ｍｓのオーダーである。さらに、ＰＤＣＣＨに基づくＥ−ＰＤＣＣＨ再構成のオーバーヘッドが、特に再構成が頻繁であるとき、上位層シグナリングと比較してずっと小さい。
【００９９】
しかしながら、このアイディアの問題点として、ＰＤＣＣＨに基づくＥ−ＰＤＣＣＨ再構成が送信されるサブフレームにおいて、同じサービングセルにおいて同じサブフレームでＰＤＳＣＨを送信することができない。送信する場合、より多くのＨＡＲＱ−ＡＣＫビットを送信する必要がある。現在の仕様（非特許文献９）によると、構成される各サービングセルにおけるＨＡＲＱ−ＡＣＫビットの数は、サービングセルに対して構成されているダウンリンク送信モードによって決まる。構成されているサービングセルのダウンリンク送信モードが最大で２つのトランスポートブロックをサポートする場合、２つのＨＡＲＱ−ＡＣＫビットを送信する必要があり、そうでない場合、１つのＨＡＲＱ−ＡＣＫビットを送信する必要がある。ＰＤＣＣＨに基づくＥ−ＰＤＣＣＨ再構成およびＰＤＳＣＨを同じサブフレームで送信する場合、最大で２つのトランスポートブロックをサポートするダウンリンク送信モードでは、３つのＨＡＲＱ−ＡＣＫビットを送信する必要があり、最大で１つのトランスポートブロックをサポートするダウンリンク送信モードでは、２つのＨＡＲＱ−ＡＣＫビットを送信する必要がある。
【０１００】
図７は、問題点の例を示している。この図においては、ＰＤＣＣＨに基づくＥ−ＰＤＣＣＨ再構成およびＰＤＣＣＨと、対応するＰＤＳＣＨの両方が、ダウンリンクサブフレーム＃２において送信される。ＰＤＣＣＨに基づくＥ−ＰＤＣＣＨ再構成に対するＨＡＲＱ−ＡＣＫと、ＰＤＳＣＨに対するＨＡＲＱ−ＡＣＫの両方を、アップリンクサブフレーム＃６において送信する必要がある。しかし、現在の仕様では、アップリンクサブフレーム＃６において、ＰＤＣＣＨに基づくＥ−ＰＤＣＣＨ再構成に対するＨＡＲＱ−ＡＣＫの送信か、ＰＤＳＣＨに対するＨＡＲＱ−ＡＣＫの送信のみがサポートされる。
【０１０１】
この問題に鑑み、本発明の例示的な実施形態を提供する。
【０１０２】
第１の実施形態
このことは、ＰＤＣＣＨに基づくＥ−ＰＤＣＣＨ再構成およびＰＤＳＣＨを同じサブフレームで送信できるように、ＰＤＣＣＨに基づくＥ−ＰＤＣＣＨ再構成に対するＨＡＲＱ−ＡＣＫと、ＰＤＳＣＨに対するＨＡＲＱ−ＡＣＫの両方を同じアップリンクサブフレームで送信することをサポートすることによって達成される。具体的には、ユーザ機器に対してＥ−ＰＤＣＣＨが構成されていない場合、リリース１０の手順に従う。ユーザ機器に対してＥ−ＰＤＣＣＨが構成されている場合、以下の新規の方式に従う。
【０１０３】
サービングセルにおいて、ＰＤＣＣＨに基づくＥ−ＰＤＣＣＨ再構成に対するＨＡＲＱ−ＡＣＫ、またはＰＤＳＣＨに対するＨＡＲＱ−ＡＣＫのみを１つのアップリンクサブフレームで送信する必要がある場合、ＰＤＣＣＨに基づくＥ−ＰＤＣＣＨ再構成に対するＨＡＲＱ−ＡＣＫは、ＰＤＣＣＨに基づく無効化に対するＨＡＲＱ−ＡＣＫと同様に扱われる。詳しい手順は以下のとおりである。
・  １つのサービングセルのみが構成されている場合、ＰＤＣＣＨに基づくＥ−ＰＤＣＣＨ再構成に対するＨＡＲＱ−ＡＣＫ、またはＰＤＳＣＨに対するＨＡＲＱ−ＡＣＫは、それぞれの対応するＰＵＣＣＨリソースで送信される。ＰＤＣＣＨに基づくＥ−ＰＤＣＣＨ再構成に対するＨＡＲＱ−ＡＣＫのＰＵＣＣＨリソースは、Ｅ−ＰＤＣＣＨ再構成のための対応するＰＤＣＣＨの最初のＣＣＥインデックスによって決まる。ＰＤＳＣＨに対するＨＡＲＱ−ＡＣＫのＰＵＣＣＨリソースは、ＰＤＳＣＨのための対応するＰＤＣＣＨの最初のＣＣＥインデックスによって決まる。
・  複数のサービングセルが構成されている場合、構成に応じて、チャネル選択を有するＰＵＣＣＨフォーマット１ｂが使用される、またはＰＵＣＣＨフォーマット３が使用される。
【０１０４】
ユーザ機器に対して１つのみのサービングセルが構成されており、ＰＤＣＣＨに基づくＥ−ＰＤＣＣＨ再構成に対するＨＡＲＱ−ＡＣＫと、ＰＤＳＣＨに対するＨＡＲＱ−ＡＣＫとの間に衝突が存在する場合、次の手順に従う。
【０１０５】
ユーザ機器に対して１つのみのサービングセルが構成されており、ＰＤＣＣＨに基づくＥ−ＰＤＣＣＨ再構成に対するＨＡＲＱ−ＡＣＫと、ＰＤＳＣＨに対するＨＡＲＱ−ＡＣＫとの間に衝突が存在する場合、チャネル選択を使用して、ＰＤＣＣＨに基づくＥ−ＰＤＣＣＨ再構成に対するＨＡＲＱ−ＡＣＫとＰＤＳＣＨに対するＨＡＲＱ−ＡＣＫの両方をサービングセルにおいて１つのサブフレームで送信することをサポートする。ＨＡＲＱ−ＡＣＫ（ｊ）が、チャネル選択を有するＰＵＣＣＨフォーマット１ｂを使用して送信されるＨＡＲＱ−ＡＣＫとして定義されている場合、ＨＡＲＱ−ＡＣＫ（ｊ）と、ＰＤＳＣＨおよびＰＤＣＣＨに基づくＥ−ＰＤＣＣＨ再構成のトランスポートブロックとの間のマッピングは、以下のとおりである。
・  サービングセルに対して１つのみのトランスポートブロックがサポートされている場合、ＨＡＲＱ−ＡＣＫ（０）が、サービングセルにおけるトランスポートブロックに対するＨＡＲＱ−ＡＣＫに対応し、ＨＡＲＱ−ＡＣＫ（１）が、サービングセルにおけるＰＤＣＣＨに基づくＥ−ＰＤＣＣＨ再構成に対するＨＡＲＱ−ＡＣＫに対応する。
・  サービングセルに対して最大で２つのトランスポートブロックがサポートされている場合、ＨＡＲＱ−ＡＣＫ（０）が、サービングセルにおける第１のトランスポートブロックに対するＨＡＲＱ−ＡＣＫに対応し、ＨＡＲＱ−ＡＣＫ（１）が、サービングセルにおける第２のトランスポートブロックに対するＨＡＲＱ−ＡＣＫに対応し、ＨＡＲＱ−ＡＣＫ（２）が、サービングセルにおけるＰＤＣＣＨに基づくＥ−ＰＤＣＣＨ再構成に対するＨＡＲＱ−ＡＣＫに対応する。
【０１０６】
さらに、ＰＵＣＣＨリソース０は、サービングセルのトランスポートブロックに対応するＰＵＣＣＨリソースであり、ＰＵＣＣＨリソース１は、Ｅ−ＰＤＣＣＨ再構成のためのＰＤＣＣＨに対応するＰＵＣＣＨリソースである。
【０１０７】
ＨＡＲＱ−ＡＣＫ（ｊ）値と、ＰＵＣＣＨフォーマット１ｂにおけるｂ（０）ｂ（１）と、送信に使用されるＰＵＣＣＨリソースのマッピングは、次の規則に従って行われる。
・  Ｅ−ＰＤＣＣＨ再構成のためのＰＤＣＣＨが正常に検出される場合、ＨＡＲＱ−ＡＣＫ（ｊ）値はＰＵＣＣＨリソース１にマッピングされる。
・  そうでない場合、ＨＡＲＱ−ＡＣＫ（ｊ）値はＰＵＣＣＨリソース０にマッピングされる。
【０１０８】
図１５は、本発明の実施形態による、１つのみサポートされているトランスポートブロックのマッピングの例を示している。図１６は、本発明の実施形態による、最大で２つサポートされているトランスポートブロックのマッピングの例を示している。
【０１０９】
ユーザ機器に対して２つのサービングセルが構成されており、ＰＤＣＣＨに基づくＥ−ＰＤＣＣＨ再構成に対するＨＡＲＱ−ＡＣＫと、ＰＤＳＣＨに対するＨＡＲＱ−ＡＣＫとの間に衝突が存在する場合、チャネル選択を使用して、ＰＤＣＣＨに基づくＥ−ＰＤＣＣＨ再構成に対するＨＡＲＱ−ＡＣＫとＰＤＳＣＨに対するＨＡＲＱ−ＡＣＫの両方を、構成された各サービングセルにおいて１つのサブフレームで送信することをサポートする。ＨＡＲＱ−ＡＣＫ（ｊ）が、チャネル選択を有するＰＵＣＣＨフォーマット１ｂを使用して送信されるＨＡＲＱ−ＡＣＫとして定義されている場合、ＨＡＲＱ−ＡＣＫ（ｊ）と、ＰＤＳＣＨおよびＰＤＣＣＨに基づくＥ−ＰＤＣＣＨ再構成のトランスポートブロックとの間のマッピングは、表１に与えられる。この表において、Ａは、ＰＤＳＣＨ送信から導くことのできるＰＵＣＣＨリソースの数を表す。
【０１１０】
詳細には、ＰＵＣＣＨ上の制御シグナリングは、一次セルを介してシステム帯域幅の縁部における周波数領域において送信される。制御シグナリングに要求されるリソースを最小にするため、ＰＵＣＣＨでの各送信は、サブフレームの２つのリソースブロックにおいて行われ、第１のリソースブロックはサブフレームの第１のスロット内であり、第２のリソースブロックはサブフレームの第２のスロット内である。２つのリソースブロックは、システム帯域幅の対向する縁部において送信される。ＰＵＣＣＨ送信のための両方のリソースブロックは、ＰＵＣＣＨリソースまたはＰＵＣＣＨ領域と称される。システム帯域幅に応じて、１〜１６のＰＵＣＣＨリソースを利用することができる。
【０１１１】
チャネル選択に使用されるＰＵＣＣＨリソースは、ｊの昇順に従って順序付けられる。一次セルで送信される、ＰＤＣＣＨに基づくＥ−ＰＤＣＣＨ再構成に対応するＰＵＣＣＨリソースは、Ｅ−ＰＤＣＣＨ再構成のためのＰＤＣＣＨの最初のＣＣＥインデックスから導かれる。二次セルで送信される、ＰＤＣＣＨに基づくＥ−ＰＤＣＣＨ再構成に対応するＰＵＣＣＨリソースは、Ｅ−ＰＤＣＣＨ再構成のためのＰＤＣＣＨにおけるＴＰＣフィールドによって、構成されたＰＵＣＣＨリソースから選択される。
【０１１２】
【表１】
0005814471.tif 000003
【０１１３】
Ａ＝２の場合、構成される各サービングセルに対して１つのみのトランスポートブロックがサポートされる。ＨＡＲＱ−ＡＣＫ（０）は、一次セルを介して受信されるトランスポートブロックに対するＨＡＲＱ−ＡＣＫに対応し、ＨＡＲＱ−ＡＣＫ（１）は、一次セルを介して受信される、ＰＤＣＣＨに基づくＥ−ＰＤＣＣＨ再構成に対するＨＡＲＱ−ＡＣＫに対応し、ＨＡＲＱ−ＡＣＫ（２）は、二次セルを介して受信されるトランスポートブロックに対するＨＡＲＱ−ＡＣＫに対応し、ＨＡＲＱ−ＡＣＫ（３）は、二次セルを介して受信される、ＰＤＣＣＨに基づくＥ−ＰＤＣＣＨ再構成に対するＨＡＲＱ−ＡＣＫに対応する。さらに、ＰＵＣＣＨリソース０は、一次セルのトランスポートブロックに対応するＰＵＣＣＨリソースであり、ＰＵＣＣＨリソース２は、二次セルのトランスポートブロックに対応するＰＵＣＣＨリソースであり、以下同様である。
【０１１４】
Ａ＝２の場合、ＨＡＲＱ−ＡＣＫ（ｊ）値と、ＰＵＣＣＨフォーマット１ｂにおけるｂ（０）ｂ（１）と、送信に使用されるＰＵＣＣＨリソースのマッピングは、次の規則に従って行われる。
・  このマッピングは、リリース１０のＡ＝２に後方互換であり、すなわち、Ｅ−ＰＤＣＣＨ再構成のためのＰＤＣＣＨが１つのサブフレームにおいてユーザ機器によって検出されない場合、ＨＡＲＱ−ＡＣＫ値の解釈は、Ｅ−ＰＤＣＣＨが構成されない場合と同じである。この規則の恩恵として、Ｅ−ＰＤＣＣＨ構成の手順時、ＨＡＲＱ−ＡＣＫ値の誤解釈が存在しない。
・  このマッピングは、構成されたＥ−ＰＤＣＣＨを有する非キャリアアグリゲーション（ＣＡ）の場合に後方互換であり、すなわち、二次セルにおいてＰＤＳＣＨおよびＥ−ＰＤＣＣＨ再構成のためのＰＤＣＣＨが検出されない場合、ＨＡＲＱ−ＡＣＫ値の解釈は、非ＣＡの場合と同じである。この規則の恩恵として、サービングセルの再構成の手順時に、ＨＡＲＱ−ＡＣＫ値の誤解釈が存在しない。
・  特定のＰＵＣＣＨリソースは、対応するＰＤＣＣＨ／ＰＤＳＣＨが検出されるときにのみ使用され、例えば、ＰＵＣＣＨリソース１およびＰＵＣＣＨリソース３は、Ｅ−ＰＤＣＣＨ再構成のためのＰＤＣＣＨが対応するサービングセルにおいて検出されるときにのみ使用される。この規則が必要である理由は、ＰＵＣＣＨリソースが対応するＰＤＣＣＨから導かれるためである。ＰＤＣＣＨが検出されない場合、ＰＵＣＣＨリソースは未知である。
【０１１５】
本発明の実施形態によるマッピングの例は、表２に示してある（図８にも示してある）。図９は、図８のマッピングと、従来のリリース１０のＡ＝２マッピングとの比較を示している。円は、リリース１０に後方互換であるＨＡＲＱ−ＡＣＫ値を示している。
【０１１６】
図９の上側と下側では、ＰＵＣＣＨリソースの異なる番号付けを使用している。この点において、図の上側におけるＰＵＣＣＨリソース０は、図の下側におけるＰＵＣＣＨリソース０に対応し、図の上側におけるＰＵＣＣＨリソース２は、図の下側におけるＰＵＣＣＨリソース１に対応する。図の上側におけるＨＡＲＱ−ＡＣＫ（０）は、図の下側におけるＨＡＲＱ−ＡＣＫ（０）に対応し、図の上側におけるＨＡＲＱ−ＡＣＫ（２）は、図の下側におけるＨＡＲＱ−ＡＣＫ（１）に対応する。図９から明らかであるように、Ｅ−ＰＤＣＣＨ再構成のためのＰＤＣＣＨが検出されない場合、一次セルにおけるトランスポートブロックのＨＡＲＱ−ＡＣＫ値および二次セルにおけるトランスポートブロックのＨＡＲＱ−ＡＣＫ値の解釈は、Ｅ−ＰＤＣＣＨ再構成なしの場合のリリース１０と同じである。
【０１１７】
【表２】
0005814471.tif 000004
【０１１８】
図１０は、図８のマッピングと、非ＣＡ（キャリアアグリゲーション）の場合のマッピングの比較を示している。円は、非ＣＡに後方互換であるＨＡＲＱ−ＡＣＫ値を示している。図の上側におけるＰＵＣＣＨリソース０は、図の下側におけるＰＵＣＣＨリソース０に対応し、図の上側におけるＰＵＣＣＨリソース１は、図の下側におけるＰＵＣＣＨリソース１に対応する。図の上側におけるＨＡＲＱ−ＡＣＫ（０）は、図の下側におけるＨＡＲＱ−ＡＣＫ（０）に対応し、図の上側におけるＨＡＲＱ−ＡＣＫ（１）は、図の下側におけるＨＡＲＱ−ＡＣＫ（１）に対応する。
【０１１９】
図１０から明らかであるように、二次セルにおけるＰＤＳＣＨのためのＰＤＣＣＨと、二次セルにおけるＥ−ＰＤＣＣＨ再構成のためのＰＤＣＣＨが検出されない場合、一次セルにおけるトランスポートブロックのＨＡＲＱ−ＡＣＫ値と、ＰＤＣＣＨに基づくＥ−ＰＤＣＣＨ再構成のＨＡＲＱ−ＡＣＫ値の解釈は、キャリアアグリゲーションのない場合と同じである。
【０１２０】
さらに図８から明らかであるように、ＰＵＣＣＨリソースｊにおいて、ＨＡＲＱ−ＡＣＫ（ｊ）の値は「Ｄ」ではない。すなわち、ＰＵＣＣＨリソースｊでＰＵＣＣＨフォーマット１ｂが送信されるとき、対応するＰＤＣＣＨが検出される。
【０１２１】
Ａ＝３の場合、１つのサービングセルにおいて最大で２つのトランスポートブロックがサポートされ、他方のサービングセルにおいて１つのみのトランスポートブロックがサポートされる。表１から理解できるように、ＨＡＲＱ−ＡＣＫ（０）は、サービングセル１のトランスポートブロック１に対するＨＡＲＱ−ＡＣＫに対応し、ＨＡＲＱ−ＡＣＫ（１）は、サービングセル１のトランスポートブロック２に対するＨＡＲＱ−ＡＣＫ、またはサービングセル１のＰＤＣＣＨ再構成に対するＨＡＲＱ−ＡＣＫに対応し、ＨＡＲＱ−ＡＣＫ（２）は、サービングセル２のトランスポートブロック１に対するＨＡＲＱ−ＡＣＫに対応し、ＨＡＲＱ−ＡＣＫ（３）は、サービングセル２のＰＤＣＣＨに基づくＥ−ＰＤＣＣＨ再構成に対するＨＡＲＱ−ＡＣＫに対応する。サービングセル１において、２つのトランスポートブロックとＥ−ＰＤＣＣＨ再構成のためのＰＤＣＣＨを同じサブフレームで送信することはサポートされない。
【０１２２】
チャネル選択に使用されるＰＵＣＣＨリソースは、ｊの昇順に従って順序付けられる。ＨＡＲＱ−ＡＣＫ（１）がサービングセル１のトランスポートブロック２に対するＨＡＲＱ−ＡＣＫに対応する場合、ＰＵＣＣＨリソース１は、サービングセル１のトランスポートブロック２の対応するＰＵＣＣＨである。そうでない場合、ＰＵＣＣＨリソース１は、サービングセル１のＥ−ＰＤＣＣＨ再構成のためのＰＤＣＣＨの対応するＰＵＣＣＨである。
【０１２３】
表３は、ＨＡＲＱ−ＡＣＫ（１）およびＰＵＣＣＨリソース１の解釈を示している。ユーザ機器によってサービングセル１においてトランスポートブロックが検出されない、または１つのみのトランスポートブロックが検出される場合、ＨＡＲＱ−ＡＣＫ（１）およびＰＵＣＣＨリソース１の両方が、Ｅ−ＰＤＣＣＨ再構成のためのＰＤＣＣＨの１つに対応する。ユーザ機器によってサービングセル１において２つのトランスポートブロックが検出される場合、ＨＡＲＱ−ＡＣＫ（１）およびＰＵＣＣＨリソース１の両方が、Ｅ−ＰＤＣＣＨ再構成のためのＰＤＣＣＨの１つに対応する。２つのトランスポートブロックが誤検出される場合、ＨＡＲＱ−ＡＣＫ（０）およびＨＡＲＱ−ＡＣＫ（１）は「Ｄ／Ｄ」であり、ＰＵＣＣＨ１は使用されず、したがって、ユーザ機器と基地局装置との間の誤解釈は存在しない。
【０１２４】
【表３】
0005814471.tif 000005
【０１２５】
Ａ＝３の場合、HARQ-ACK(j)値と、ＰＵＣＣＨフォーマット１ｂにおけるｂ（０）ｂ（１）と、送信に使用されるＰＵＣＣＨリソースのマッピングは、次の規則に従って行われる。
・  このマッピングは、リリース１０のＡ＝３に後方互換であり、すなわち、Ｅ−ＰＤＣＣＨ再構成のためのＰＤＣＣＨが検出されない場合、ＨＡＲＱ−ＡＣＫ値の解釈は、Ｅ−ＰＤＣＣＨが構成されていない場合と同じである。
・  このマッピングは、構成されたＥ−ＰＤＣＣＨを有する非ＣＡの場合に後方互換であり、すなわち、二次セルにおいてＰＤＳＣＨおよびＥ−ＰＤＣＣＨ再構成のためのＰＤＣＣＨが検出されない場合、HARQ-ACK値の解釈は、非ＣＡの場合と同じである。
・  特定のＰＵＣＣＨリソースは、対応するＰＤＣＣＨ／ＰＤＳＣＨが検出されるときにのみ使用される。
【０１２６】
本発明の実施形態によるこのようなマッピングの例は、表４に示してある（図１１にも示してある）。図１２は、図１１におけるマッピングと、リリース１０におけるＡ＝３のマッピングとの比較を示している。この図から明らかであるように、マッピングはリリース１０におけるＡ＝３に後方互換であり、すなわち、Ｅ−ＰＤＣＣＨ再構成のためのＰＤＣＣＨが誤検出される場合と、Ｅ−ＰＤＣＣＨが構成されていない場合、ＨＡＲＱ−ＡＣＫ値の解釈が同じである。
【０１２７】
【表４】
0005814471.tif 000006
【０１２８】
図１３は、図１１におけるマッピングと、リリース１０におけるＡ＝２のマッピングとの比較を示している。この場合、サービングセル２が一次セルである。二次セルにおいてＰＤＳＣＨおよびＥ−ＰＤＣＣＨ再構成のためのＰＤＣＣＨが検出されない場合、図１３におけるＨＡＲＱ−ＡＣＫ値の解釈は、リリース１０における非キャリアアグリゲーションの場合と同じである。
【０１２９】
図１１からも理解できるように、ＰＵＣＣＨリソースｊにおいて、ＨＡＲＱ−ＡＣＫ（ｊ）の値は「Ｄ」ではない。すなわち、ＰＵＣＣＨフォーマット１ｂがＰＵＣＣＨリソースｊで送信されるとき、対応するＰＤＣＣＨが検出される。
【０１３０】
Ａ＝４の場合、一次セルおよび二次セルの両方において最大で２つのトランスポートブロックがサポートされる。表３から明らかであるように、ＨＡＲＱ−ＡＣＫ（０）は、一次セルを介して受信されるトランスポートブロック１に対するＨＡＲＱ−ＡＣＫに対応し、ＨＡＲＱ−ＡＣＫ（１）は、一次セルを介して受信されるトランスポートブロック２に対するＨＡＲＱ−ＡＣＫ、または一次セルを介して受信されるＰＤＣＣＨ再構成に対するＨＡＲＱ−ＡＣＫに対応し、ＨＡＲＱ−ＡＣＫ（２）は、二次セルを介して受信されるトランスポートブロック１に対するＨＡＲＱ−ＡＣＫに対応し、ＨＡＲＱ−ＡＣＫ（３）は、二次セルを介して受信されるトランスポートブロック２に対するＨＡＲＱ−ＡＣＫ、または二次セルを介して受信されるＰＤＣＣＨ再構成に対するＨＡＲＱ−ＡＣＫに対応する。一次セルおよび二次セルの両方において、２つのトランスポートブロックの送信とＥ−ＰＤＣＣＨ再構成のためのＰＤＣＣＨを同じサブフレームで送信することはサポートされない。
【０１３１】
チャネル選択に使用されるＰＵＣＣＨリソースは、ｊの昇順に従って順序付けられる。ＨＡＲＱ−ＡＣＫ（１）が一次セルのトランスポートブロック２に対するＨＡＲＱ−ＡＣＫに対応する場合、ＰＵＣＣＨリソース１は、一次セルのトランスポートブロック２に対応するＰＵＣＣＨリソースである。そうでない場合、ＰＵＣＣＨリソース１は、一次セルのＥ−ＰＤＣＣＨ再構成のためのＰＤＣＣＨに対応するＰＵＣＣＨリソースである。ＨＡＲＱ−ＡＣＫ（３）が二次セルのトランスポートブロック２に対するＨＡＲＱ−ＡＣＫに対応する場合、ＰＵＣＣＨリソース１は、二次セルのトランスポートブロック２に対応するＰＵＣＣＨリソースである。そうでない場合、ＰＵＣＣＨリソース１は、二次セルのＥ−ＰＤＣＣＨ再構成のためのＰＤＣＣＨに対応するＰＵＣＣＨリソースである。
【０１３２】
Ａ＝４の場合、図１４におけるように、リリース１０のマッピングテーブルを再利用することができる。一次セルのトランスポートブロック１およびトランスポートブロック２には、表３を参照しながら説明した、ＨＡＲＱ−ＡＣＫ（１）およびＰＵＣＣＨリソース１の同じ解釈を適用することができる。同様に、ＨＡＲＱ−ＡＣＫ（３）およびＰＵＣＣＨリソース３の解釈は、一次セルのトランスポートブロック１およびトランスポートブロック２について説明したものと同じアイディアに従う。一次セルのトランスポートブロック１およびトランスポートブロック２が誤検出される場合、ＰＵＣＣＨリソース１は使用されず、ＨＡＲＱ−ＡＣＫ（０）／ＨＡＲＱ−ＡＣＫ（１）の値は「Ｄ／Ｄ」である。したがって、基地局装置とユーザ機器との間の誤解釈は存在しない。同じことは、二次セルのトランスポートブロック１およびトランスポートブロック２についてもあてはまる。
【０１３３】
本発明によると、ＰＤＣＣＨに基づくＥ−ＰＤＣＣＨ再構成がサポートされ、したがって、Ｅ−ＰＤＣＣＨ再構成の遅延およびオーバーヘッドが小さい。さらに、同じサービングセルにおいて、Ｅ−ＰＤＣＣＨ再構成のためのＰＤＣＣＨと同じサブフレームで少なくとも１つのトランスポートブロックを送信することがサポートされる。
【０１３４】
さらには、本発明は、リリース１０に後方互換である。さらに、キャリアアグリゲーションの場合におけるＥ−ＰＤＣＣＨ再構成は、非キャリアアグリゲーションの場合に後方互換である。
【０１３５】
第２の実施形態
本発明の第２の実施形態によると、リリース１０のＡ＝２、Ａ＝３、Ａ＝４のマッピングテーブルを再利用する。ＰＤＣＣＨに基づくＥ−ＰＤＣＣＨ再構成に対するＨＡＲＱ−ＡＣＫと、ＰＤＳＣＨに対するＨＡＲＱ−ＡＣＫとを同じサブフレームで送信することをサポートする目的で、表５は、ＨＡＲＱ−ＡＣＫ（ｊ）とトランスポートブロックとＥ−ＰＤＣＣＨ再構成のマッピングを示している。
【０１３６】
【表５】
0005814471.tif 000007
【０１３７】
Ａ＝２の場合、ＰＤＣＣＨに基づくＥ−ＰＤＣＣＨの再構成に対するＨＡＲＱ−ＡＣＫは、ＰＤＣＣＨに基づくＳＰＳ無効化に対するＨＡＲＱ−ＡＣＫと同様に扱われる。異なるサービングセルの場合、ＰＤＣＣＨに基づくＥ−ＰＤＣＣＨ再構成およびＰＤＳＣＨを同じサブフレームで送信できるが、同じサービングセルの場合には送信できない。
【０１３８】
Ａ＝３の場合、サービングセル１において、最大で１つのトランスポートブロックが送信される場合、ＰＤＣＣＨに基づくＥ−ＰＤＣＣＨ再構成に対するＨＡＲＱ−ＡＣＫとＰＤＳＣＨに対するＨＡＲＱ−ＡＣＫとを同じサブフレームで送信することができる。ＨＡＲＱ−ＡＣＫ（１）およびＰＵＣＣＨリソース１の解釈は、表３の場合と同じであり、すなわち、サービングセル１に対して２つのトランスポートブロックが検出される場合、ＨＡＲＱ−ＡＣＫ（１）およびＰＵＣＣＨリソース１は、サービングセル１のトランスポートブロック２のＰＤＣＣＨに対応し、そうでない場合、ＨＡＲＱ−ＡＣＫ（１）およびＰＵＣＣＨリソース１は、ＰＤＣＣＨに基づく再構成のＰＤＣＣＨに対応する。
【０１３９】
Ａ＝４の場合、一次セルおよび二次セルの両方において、最大で１つのトランスポートブロックが送信される場合、ＰＤＣＣＨに基づくＥ−ＰＤＣＣＨ再構成およびＰＤＳＣＨに対するＨＡＲＱ−ＡＣＫを同じサブフレームで送信することができる。ＨＡＲＱ−ＡＣＫ（１）およびＰＵＣＣＨリソース１の解釈は、表３の場合と同じであり、すなわち、一次セル１に対して２つのトランスポートブロックが検出される場合、ＨＡＲＱ−ＡＣＫ（１）およびＰＵＣＣＨリソース１は、一次セルのトランスポートブロック２のＰＤＣＣＨに対応し、そうでない場合、ＨＡＲＱ−ＡＣＫ（１）およびＰＵＣＣＨリソース１は、ＰＤＣＣＨに基づく再構成のＰＤＣＣＨに対応する。ＨＡＲＱ−ＡＣＫ（３）、ＰＵＣＣＨリソース３、および二次セルについても同じことがあてはまる。
【０１４０】
第２の実施形態によると、リリース１０のＡ＝２、Ａ＝３、Ａ＝４のマッピングテーブルを再利用することができる。しかしながら、Ａ＝２の場合、同じサービングセルにおけるＰＤＳＣＨおよびＰＤＣＣＨに基づくＥ−ＰＤＣＣＨ再構成を同じサブフレームで送信することができない。Ａ＝３の場合、サービングセル２のＰＤＳＣＨと、サービングセル２におけるＰＤＣＣＨに基づくＥ−ＰＤＣＣＨ再構成を、同じサブフレームで送信することができない。
【０１４１】
第３の実施形態
本発明の第３の実施形態によると、第１の実施形態のＡ＝２のマッピングテーブルが、Ａ＝３のマッピングに使用される。Ａ＝３の場合、サービングセル１に対して２つのトランスポートブロックが検出される場合、リリース１０のＡ＝３のマッピングが再利用され、そうでない場合、主アイディアのＡ＝２のマッピングが使用される。
【０１４２】
第３の実施形態の恩恵として、Ａ＝３のマッピングテーブルを設計する必要がない。しかしながら、Ａ＝３の場合、サービングセル２のＰＤＳＣＨと、サービングセル２におけるＰＤＣＣＨに基づくＥ−ＰＤＣＣＨ再構成を、同じサブフレームで送信することができない。
【０１４３】
要約すると、本発明は、隣接セルからの閃光干渉を回避すること、および、周波数変動が大きく発生するシナリオにおいてＥ−ＰＤＣＣＨを最良の物理リソースブロック（ＰＲＢ）に割り当てることを目的として、無線通信システムにおいてＥ−ＰＤＣＣＨ（エンハンスト物理ダウンリンク制御チャネル）のサーチスペースを迅速に再構成することに関する。これを目的として、エンハンストＰＤＣＣＨのサーチスペースの再構成試行に関する低レイテンシのフィードバックを提供する方法と、対応する装置とを提供する。具体的には、ＰＤＣＣＨに基づくＥ−ＰＤＣＣＨ再構成に対するＨＡＲＱ−ＡＣＫとＰＤＳＣＨ（物理ダウンリンク共有チャネル）に対するＨＡＲＱ−ＡＣＫの両方を同じアップリンクサブフレームで送信することをサポートするシグナリング方式を提供し、したがって、ＰＤＣＣＨに基づくＥ−ＰＤＣＣＨ再構成情報およびＰＤＳＣＨ情報のＡＣＫを同じサブフレームで送信することができる。
【図１】
0005814471.tif 000016
【図２】
0005814471.tif 000017
【図３】
0005814471.tif 000018
【図４】
0005814471.tif 000019
【図５】
0005814471.tif 000020
【図６】
0005814471.tif 000021
【図７】
0005814471.tif 000022
【図８】
0005814471.tif 000023
【図９ａ】
0005814471.tif 000024
【図９ｂ】
0005814471.tif 000025
【図１０ａ】
0005814471.tif 000026
【図１０ｂ】
0005814471.tif 000027
【図１１】
0005814471.tif 000028
【図１２ａ】
0005814471.tif 000029
【図１２ｂ】
0005814471.tif 000030
【図１３ａ】
0005814471.tif 000031
【図１３ｂ】
0005814471.tif 000032
【図１４ａ】
0005814471.tif 000033
【図１４ｂ】
0005814471.tif 000034
【図１５】
0005814471.tif 000035
【図１６】
0005814471.tif 000036